(57)【要約】  本発明は、インプラントの挿入により罹患した組織を回復させるために、黙示的に、それらの骨統合を促進するために、かつ歯周病等の口腔顎顔面領域内の疾患を治療するために使用される歯科用キットに関する。本発明によると、歯科用キットは、２つの外側マウスガード（ＡおよびＢ）であって、それらのうちの第１の外側マウスガードが３つの作業点を有し、第２の外側マウスガードが２つの作業点を有する、２つの外側マウスガード（ＡおよびＢ）と、複数の作業点を有する外側マウスガード（Ｆ）と、高極性を有するポリマーからなる材料（１２）と、電磁場を発生させる装置（Ｄ）であって、装置（Ｄ）が、マウスガード（ＡまたはＢまたはＦ）の内側で、０．７〜０．９ｍＴの範囲の誘導を有し、５〜１０％の範囲の変動を有し、電磁場に供される領域内で、同じ点の周りに１ｃｍの距離で、２００ｍＡの電流により生成された、歯根またはインプラントが位置付けられる領域内で可能な限り高い体積で、７〜８Ｈｚの範囲、好ましくは、７．６９Ｈｚの周波数を有する、均一磁場を発生させる、装置（Ｄ）と、を備え、磁場線は、標的組織上で直角に交わる。
2018533449.tif 000002
【特許請求の範囲】
【請求項１】
歯科用キットであって、２つの外側マウスガード（ＡおよびＢ）であって、それらのうちの第１の外側マウスガードが３つの作業点を有し、第２の外側マウスガードが２つの作業点を有する、２つの外側マウスガード（ＡおよびＢ）と、複数の作業点を有する外側マウスガード（Ｆ）と、高極性を有するポリマーからなる材料（１２）と、電磁場を発生させる装置（Ｄ）であって、前記装置（Ｄ）が、前記マウスガード（ＡまたはＢまたはＦ）の内側で、０．７〜０．９ｍＴの範囲の誘導磁場を有し、５〜１０％の範囲の変動を有し、前記電磁場に供される領域内で、同じ点の周りに１ｃｍの距離で、かつ２００ｍＡの電流により生成された、歯根またはインプラントが位置付けられる領域内で可能な限り高い体積で、７〜８Ｈｚの範囲、好ましくは、７．６９Ｈｚの周波数を有する均一磁場を発生させる、装置（Ｄ）と、を備え、前記磁場線が、箱内に配置された標的組織上で直角に交わり、
３つの作業点を有する前記マウスガード（Ａ）が湾曲本体（１）からなり、前記湾曲本体（１）が、顎部の解剖学的形状に従い、湾曲外側、およびそれぞれ湾曲前面内側の、２つの壁（ａおよびｂ）を備え、それらの間で基礎壁（ｅ）と共にいくつかの下位ヘッド（ｃおよびｄ）に接合し、前記外側壁（ａ）が、外側、側面、およびそれぞれ末端の、いくつかのガイド部（ｆ、ｇ、およびｈ）を有し、前記内側壁（ｂ）が、内側、側面、およびそれぞれ前面の、いくつかの他のガイド部（ｏ、ｐ、およびｑ）を有し、前記ガイド部（ｆ、ｇ、およびｈ）および前記他のガイド部（ｏ、ｐ、およびｑ）が、いくつかの空間（ｉ、ｊ、およびｋ）内に、かつ互いに区切られたいくつかの他の空間（ｒ、ｓ、およびｔ）内に、３つのアクティブアプリケータ（Ｅ）を装着することを可能にするように、互いに２つずつ平行であり、これにより、同じ点の周りに１ｃｍの距離で、口腔のそれらの細胞組織の前に位置する領域内に、均一の電磁場が発生し、各アプリケータ（Ｅ）が、組成物中に、矩形の形態の極片（２）と、楕円形状を有する蓋（５）とプレ−ト（４）との間の、前記極片（２）の周りに配置されたコア部（６）と、０．２〜０．４ｍｍの直径を有するエナメル銅線から製造されたコイル（９）と、を有し、
２つの作業点を有する前記外側マウスガード（Ｂ）が、別の湾曲本体（１３）からなり、前記別の湾曲本体（１３）が、顎部の解剖学的形状に従い、湾曲外側、およびそれぞれ湾曲内側の、２つの壁（ｎ’およびｍ’）を備え、それらを基礎壁（ｑ’）と共にいくつかの下位ヘッド（ｏ’およびｐ’）に接合し、前記外側壁（ｎ’）が、両端で開口する、いくつかの細長い空間（ｔ’およびｕ’）を区切る、外側、側面、末端の、いくつかのガイド（ｒ’および‘ｓ’）を有し、前記内側壁（ｍ’）が、アプリケータ両端で開口する、いくつかの他の細長い空間（ｚ’’およびａ’’）を区切る、内側、側面の、いくつかの他のガイド部（ｘ’およびｙ’）を有し、それらが他の空間（ｔ’およびｕ’）と一緒になって、２つのアクティブアプリケータ（Ｅ）が装着される２つの作業点を形成し、
全弓構造物上で機能する前記外側マウスガード（Ｆ）が、金属湾曲本体（１４）からなり、前記金属湾曲本体（１４）が、顎部の解剖学的形状に従い、湾曲外側、およびそれぞれ内側の、互いに平行な２つの壁（ｉ’’およびｊ’’）を備え、それらの間で、上壁（ｋ’’）の上顎部または下顎部上の、使用に応じて上部または下部に接合され、前記本体（１４）が、前面の、銅線から製造されたコイル（１５）の金属コアを形成し、前記コイル（１５）が、前面の２つの導電体（１６および１７）を有し、それらを通じて、外側で、前記装置（Ｄ）との電気接続が行われ、前記コイル（１５）が、ポリエチレンまたは前記材料（１２）から製造された層（１８）により被覆されており、
前記材料（１２）が、その後に顎部の解剖学的形状に従う個別化内側マウスガード（Ｃ）の本体（１１）がある、サンドイッチの形態であり、
前記装置（Ｄ）が、２００ｍＡの出力電流、２４Ｖの最大出力電圧のレベルを有する、２Ｈｚ〜２５Ｈｚの範囲の正弦波低周波数電流の発生器であり、かつマイクロプロセッサ（Ｍ）であって、同じ点の周りに１ｃｍの距離で、歯根インプラントが位置付けられるであろう領域内のより大きい体積で、０．７５ｍＴ〜０．９ｍＴの、均一の誘導強度の電磁場を発生させる低周波数電流の信号を発生させる、マイクロプロセッサ（Ｍ）と、ダイレクトデジタルシンセサイザ（ＤＤＳ）であって、前記プロセッサ（Ｍ）により導かれた高精度および安定性の２〜５０Ｈｚの変動を精密に有する、正弦波信号を直接発生させるように適合される、ダイレクトデジタルシンセサイザ（ＤＤＳ）と、の周りに構築され、前記装置（Ｄ）が、処理ブロック（ＢＰ）、前記シンセサイザ（ＤＤＳ）、電流反応を有するデジタル増幅器ブロック（ＢＡＤ）、音声増幅器ブロック（ＢＡ）、実時間に対するクロックブロック（ＲＴＣ）、メモリブロック（ＢＭ）、オン／オフスイッチブロック（ＢＯＰ）、および電源（電力）を含む、歯科用キット。
【請求項２】
前記個別化マウスガード（Ｃ）の本体（１１）が、前記口腔の前記歯の前に配置されたいくつかのソケット（ｌ’’）を有し、それら自体の前に任意の欠損歯がある場合、自由空間を囲む２つのソケット（ｌ’’）間に、前記歯肉に接触するブラント（ｍ’’）が配置される、請求項１に記載の歯科用キット。
【請求項３】
前記個別化マウス（Ｃ）が、３つまたは２つの作業点を有する前記マウスガード（ＡまたはＢ）の、または必要に応じて、複数の作業点を有する前記マウスガード（Ｆ）の前記壁（ｋ’’）の各々に属する、前記基礎壁（ｅ’またはｑ’）のうちの１つの接着により製造および固定される、請求項１に記載の歯科用キット。
【請求項４】
マウスガード（ＡまたはＢまたはＦ）の使用中の休止において、より多くの細胞を前記インプラントに移動させるように、前記口腔内で、別の自由な個別化マウスガード（Ｃ）のみが適用され得、罹患細胞の回復を生じさせ、前記インプラントの表面上に達する前記細胞の形態型および表現型を保持し、ソケット骨内により良好に組み込むのを助ける、請求項３に記載の歯科用キット。
【請求項５】
サンドイッチの形態での前記材料（１２）が、高極性を有するポリマーからなり、それに、無機物粒体が、単独または混合物で、トパーズ、ヒスイ、炭酸カルシウム、オクタカルシウムホスフェート、ケイ酸、水晶振動子、塩もしくは地山、火山岩、動物の角の粉塵、または酸化ジルコニウムの粒体からなる、好ましくは天然の結晶構造もしくは物質と共に埋め込まれ、前記粒子のサイズが、２０〜１５０ｎｍである、請求項１に記載の歯科用キット。
【請求項６】
３つまたは２つの作業点を有する前記ガイド部（ＡまたはＢ）の各々に属する、前記基礎壁（ｅ’またはｑ’）のうちの１つに取り付けられた、前記内側個別化マウスガード（Ｃ）が使用され、このマウスガード（Ｃ）が実施される前記材料（１２）が、酸化ジルコニウムの粒体を含有する、請求項５に記載の歯科用キット。
【請求項７】
極片（２）が、最終的に、好ましくは１〜２ｍｍの厚さを有する、高極性を有するポリマー、好ましくは、ポリエチレンから製造された、層（１０）により被覆された、基礎壁（ｅ）の下壁（ｉ’）と接触する、請求項１に記載の歯科用キット。
【請求項８】
前記本体（１）が、好ましくはポリ乳酸由来の３Ｄプリンタにより製造され、前記ガイド部（ｆおよびｇ）を補強する、いくつかの外側突起部（ｊ’）間に、８５．６ｍｍの長さならびに前記基礎壁（ｅ）のプロファイルヘッド部（ｋ’）およびプロファイル面（ｌ’）の長さを有し、前記外側壁（ｎ）が、好ましくは６５．６ｍｍの値を有する、請求項１に記載の歯科用キット。
【請求項９】
前記本体（１または１３）が、酸化ジルコニウムから製造される、請求項１に記載の歯科用キット。
【請求項１０】
前記コイル（１５）が、翼部の継続において、前記磁場が前記骨の深度において均一である体積を判定するために、互いに平行な前記翼部の外縁において、かつ前記電流が４００ｍＡまで引き上げられたときに、均一の誘導電磁場であるように、隣接する線において均一の有線である、請求項１に記載の歯科用キット。
【請求項１１】
前記マウスガード（Ｆ）が、共に前記全体的な顎部を被覆する、２つの分離した半マウスガード（Ｆ１およびＦ２）から製造され、各々が、半弓状であり得、各半マウスガード（Ｆ１およびＦ２）が、それぞれ、前面のコイル（１５’）、（１５’’）、それぞれ、２つの前面導電体（１６’および１７’）および（１６’’および１７’’）を有し、それらを通じて、前記装置（Ｄ）との電気接続により実施され、よって、各半マウスガード（Ｆ１またはＦ２）または両方の半マウスガード（Ｆ１およびＦ２）により発生した前記電磁場が、治療される全体的な領域上で、８％未満の差異を有する、高い均一性を有する、請求項１に記載の歯科用キット。
【請求項１２】
前記マイクロプロセッサ（Ｍ）、表示装置（ＤＡ）、およびいくつかの接続ジャック（ＵＳＢ）からなる前記処理ブロック（ＢＰ）が、マイクロプロセッサ（Ｍ）を通して、下記の信号、すなわち、
シリアル通信のためのクロック信号（ＳＣＫ）、
シリアル通信のためのデ−タ信号（ＳＤＡＴＡ）、
通信中に前記表示装置（ＤＡ）を選択する、ピンｎｒ３７に対する信号（ＣＳＤ）、
通信中にメモリを選択する信号（ＭＥＭ  ＣＩＰ  ＳＥＬＥＣＴ）、
読み取り−書き込みメモリを選択する信号（ＳＯ）、
書き込み信号ＤＤＳを選択する信号（ＤＤＳ＿ＣＳ）、
通信ｌ２Ｃ（ＲＴＣで）のためのデータベース信号（ＳＤＡ）、
Ｉ２Ｃ通信（ＲＴＣで）のためのクロック信号（ＳＣＬ）、
自動メンテナンスのオンスイッチ（１でアクティブ）のスイッチ信号（電力）、
指令出力電流レベルのための発生器（ＰＷＭ）に対する可変フィルファクタによる矩形の信号（Ｉ＿ｏｕｔ＿ｓｅｔ）、
シンセサイザ（ＤＤＳ）のためのクロック信号（ＤＤＳ＿ＣＬＯＣＫ）、
間欠的なＬＥＤの点灯を通したフラグ動作による信号（ＬＥＤ）、
メモリからの、前記マイクロプロセッサ（Ｍ）のピン３０から出た前記発生器（ＰＷＭ）によりフィルタリングされた、読み取り信号（Ａｕｄｉｏ）、
前記マイクロプロセッサ（Ｍ）の前記ピン１から生じる光バックライト表示装置（ＤＡ）へのバックライト信号、
マイクロプロセッサ（Ｍ）内の入力信号、
代替の形態で生じる、マイクロプロセッサ（Ｍ）内で数値フィルタリングされ、かつ測定された、出力電流の測定信号（Ｉ＿ｍｅａｓ）、
電池監視のために電源電圧から分割された定電圧の信号（Ｂａｔ＿ｍｅａｓ）、
前記装置をオフにするオン／オフスイッチにより与えられる信号（Ｋｅｙ＿ｅｎｔｅｒ）、
電流測定のための基準電圧の信号（Ｒｅｆ＿２０４８）
を発生させる、請求項１に記載の歯科用キット。
【請求項１３】
前記シンセサイザ（ＤＤＳ）が、電流反応を組み込む変調器と共に製造され、前記信号（ＰＭＷ）を制限する、正弦波信号発生器（ＰＭＷ）を含む、請求項１に記載の歯科用キット。
【請求項１４】
電流反応を有する前記デジタル増幅器ブロック（ＢＡＤ）が、スイッチクラスＤの線形増幅器を含む、請求項１に記載の歯科用キット。
【請求項１５】
前記音声増幅器ブロック（ＢＡ）が、低電圧の電力トポロジーＢＴＬ内の低電圧の増幅器である、請求項１に記載の歯科用キット。
【請求項１６】
前記メモリブロック（ＢＭ）が、治療の音声ファイルおよびメモリ履歴ならびに任意の情報をアップロードするための１０２４キロバイトのメモリを有する集積回路を有する、請求項１に記載の歯科用キット。
【発明の詳細な説明】
【技術分野】
【０００１】
本発明は、インプラントの挿入により罹患した組織を再生し、それによりその骨統合を増大するためだけでなく、歯周炎等の口腔顎顔面領域によるいくつかの疾患を治療するためにも使用される、歯科用キットに関する。
【背景技術】
【０００２】
整形外科手術の多くの多様な磁場において、骨折した骨および損傷を受けた組織の治癒、ならびにインプラントの生物学的統合の期間の短縮は、決定的に重要である。
【０００３】
インプラントにより、または別様に、罹患した組織および骨構造の再吸収は、時間を要する継続的なプロセスである。その理由は、局部血液の微小循環の低下であり、例えば、歯科の特定の磁場において、歯の動揺を生じるためである。組織統合のレベルは、第１に、外科手術による外傷の領域内の新規細胞の進行速度に依存する。これらの細胞の流れが大きい場合、領域の迅速な血行再建が生成され、細胞は、インプラント材料上で生存することができる。プロテオグリカンのレベルは、減少され得、骨とインプラントとの間の直接的な接触の比率は、それに比例して増加するだろう。通常、死滅細胞は、直ちに、新規の前駆細胞と置換され、かかる領域の特定の特徴に従って、骨芽細胞、セメント芽細胞等に変換される。
【０００４】
インプラントの生物学的統合を改善するために、種々の技術的な医療的解決法が開発されている。多孔性チタン、酸化ジルコニウム、チタンのジルコニウムとの合金から製造された構成要素からなるインプラントを処理する際に使用することが、生体適合性を改善するためのわずかに知られている解決法である。関連した応用分野および懸け離れた応用分野の両方における継続的な調査および開発は、細胞の再生におけるさらなる改善の開かれた驚くべき方法をもたらす。
【０００５】
１９５２年に、ミュンヘンのＦａｃｕｌｔｙ  ｏｆ  Ｓｃｉｅｎｃｅの医師Ｗｉｎｆｒｉｅｄ  Ｏｔｔｏ  Ｓｃｈｕｍａｎｎは、地表面と電離層との間に構成された地上空間が、導波管として、同時に共鳴箱として機能するという理論の実証に成功した。この空間の周波数スペクトルは、およそ６〜５０Ｈｚの範囲であり、７．８３Ｈｚの主要平均値を有し、地球上の生命がこの空間内に発生しているため、我々が生命体と呼ぶ全ては、この周波数に適合されている。生命体の生体機能は、この周波数に長期にわたって供されないと悪化する。これは、宇宙飛行士の身体が、余分な−地上の飛行中に、歯周病および骨粗しょう症等の重要な擾乱を経験する理由を説明している。これらの症状は、宇宙船上で７．８３Ｈｚの周波数を人工的に発生させることにより、少なくとも部分的に防止されている。各生命体が機能するために不可欠な基本的な周波数に加えて、内臓器官およびそれらを構成する細胞が、他の周波数であって、それらのうちのいくつかが、病変を被ったとき、または一定の疾患を患ったときに、それらの修復に不可欠である、他の周波数に対しても好ましい反応をすることを科学者らは発見した。
【０００６】
さらに、Ｊａｍｅｓ  Ｏｓｃｈｍａｎは、任意の生命体内で継続する各正常または病理学的事象が、かかる生命体により発生した電磁場の改変を発生させることを実証した。これらの原則に基づいて、心臓、脳活動を監視するためか、または排卵期を精密に判定するための装置が構築された。Ｏｓｃｈｍａｎはまた、筋肉活動が、未分化の間葉系細胞の誘引から始まる、細胞の再生を刺激する電磁インパルスを発生させ、外科手術により生じた病変等のいずれかの疾患が、組織外傷の領域における磁場の改変を判定することを実証した。換言すると、隣接する組織の磁気「抵抗」の増加により、毛細血管の数の改変が達成される。この増加はまた、Ｓｃｈｕｍｍａｎの磁気周波数および生体細胞の揺動から生じる正常な再生磁場を阻害または防止する任意の局部金属インプラントにより判定される。上に提示された態様から、領域内に現生する歯石、病原菌、ならびに任意の金属インプラントの挿入に起因する組織の創傷に起因する領域内の磁気抵抗の増加により妨げられたインプラントの生物積分可能性は、それにもかかわらず、再生磁場を正常値にもたらすことにより加速され得るという結論を引き出すことができる。
【０００７】
ＳｉｓｋｅｎおよびＷａｌｋｅｒは、２Ｈｚ、２５Ｈｚ、および５０Ｈｚの周波数が、外科手術手技後に感覚麻痺が生じた場合にインプラント学において有用である、神経の再生を刺激することを実証した。ＳｉｓｋｅｎおよびＷａｌｋｅｒは、７Ｈｚの周波数が、骨の再生を刺激し、１０Ｈｚの周波数が、例えば、歯の動揺度を低下させるための歯周病学において有用である、靱帯の再生を刺激することも実証した。ＳｉｓｋｅｎおよびＷａｌｋｅｒは、１５Ｈｚ、２０Ｈｚ、および７２Ｈｚの周波数が、毛細血管の再構成を刺激し、この作用が、骨または軟組織の移植片に関わる任意の外科手術的介入後に必要となることも実証した。
【０００８】
Ｈｅｒｂｅｒｔ  Ｆｒａｃｈｌｉｃｈは、組織または器官を形成する細胞の組み立てが、かかる器官の生理機能を制御する特定の周波数を有することを実証した。多数の細胞が罹患した場合、周波数をもはや放出することができず、疾患または機能不全が生じる。
【０００９】
上の記載は、健康な器官がその周辺領域の健康の維持に寄与し、罹病器官はこれをもはや行うことができず、この状態を治療するために好適なステップをとるべきであることを示している。これらの手段を特に口腔内で適用しなければならないとき、歯石組成物内に現生する病原菌および無機物が、それら自体を石化するために、再生磁場強度から「盗む」ため、自然な再生磁場が減少される点に注意しなければならない。磁気振動による治癒の現象は、約１０−９〜１０−１０テスラの磁気誘導による、低振幅の磁場で生じることが知られている。
【００１０】
インプラントおよびその骨統合の存在により罹患した組織の回復を加速させるためだけでなく、特に、骨および歯肉細胞の異常繁殖に対する歯の治療において使用される口腔内の好ましくは７．６９２Ｈｚによる周波数電磁場、および０．７５ｍＴの電磁放射線を発生させるための装置を組み込む、歯周炎等の口腔顎顔面領域による疾患の治療のためにも、電磁場を発生させる装置を備える、歯科用キットが知られている。本装置は、極度に低い周波数の電磁場発生の回路からなり、口腔内の極度に低い周波数、および正弦波電流の極度に低い周波数の電磁場の発生のための局部適用装置と接続され、電磁場を発生させる回路は、集積回路型フィルタバターワースから換算周波数で得られる集積回路を通して連続的に分割される、初期周波数の矩形信号を高精度で発生させる水晶発振器から構成され、そのステップごとに０．２５ｍＴ〜２ｍＴの領域内に電流を提供するために、矩形信号が、８つのステップで信号減衰器から正弦波信号へと変換され、結果として、電磁場の適用局部エネルギーのために装置のいくつかの極部間で得られた、定電流源からの誘導磁場の０．２５ｍＴの増加を生じ、口腔内で電磁場を適用するための装置は、その端間に調節可能な開口を有するパ−マロイから製造されたピンセットであり、端は、ピンセットの中央に配置された関心領域に、極度に低い周波数の電磁場発生により課された規模および形状の磁場を発生させるコイルを適用する、いくつかの極部をそれらの終部内に有する（２０１４年０３月３０日付の特許第ＲＯ１２８８０５Ｂ１号）。
【００１１】
かかる局部適用のための装置からなるこれらのキットの欠点は、特に、高い感受性を有する患者により支持されることが比較的困難であり、互いに隣接する１つ、２つ、または３つの歯にしか適用することができず、治療時間を増加させることである。
【００１２】
例えば、国際特許出願第ＷＯ２００６  ００１６４４号におけるように、歯肉に対する血液循環を増加させるために低周波数を使用することは、歯科分野でよく知られている。この出願に記載されている装置は、ケーブルによりシリコン電極ホルダーに接続された低周波数発生器からなる。シリコン電極は、血液循環を強化し、疼痛を軽減するのに必要とされる領域内の歯肉に適用される。
【００１３】
この解決法の主要な欠点は、国際出願第ＷＯ２００６  ００１６４４号を変動させることなく、定電流の低周波数を適用することにより、改変されない状態を維持するべきである磁場を適用する技術が、比較的長期間にわたって適用することができないことである。
【００１４】
比較可能な電磁場ＥＬＦの別の例は、歯の位置異常の矯正のためのＥＬＦの使用を記載している、特許第ＣＡ１２０２８０４号に対する適用に提示されている。この技術により得られる効果は、口腔領域内に非常に低い周波数の磁場を発生させる、永久磁石、電磁石、または電磁気誘導のコイルの適用を通じて、上および下顎部の軟組織の再建を助ける。ＥＬＦの周波数範囲は、再生の流れを生成するために、いくつかの隣接する電解質と相互作用する下顎の運動により生成される。
【００１５】
この技術の欠点は、得られた電流ＥＬＦの値が、一定でない場合があり、治療の要件に従って調節することができず、人の活動に依存することである。
【００１６】
特許出願第ＪＰ２００１  ０２６５２９号は、歯肉のリンパ機能を刺激し、歯周病を予防および治療するために、歯石または歯肉をクリーニングするための低周波数発生器および高周波数発生器が装備された機械を提示している。
【００１７】
この発明の主要な欠点は、これもまた、この発明の装置および方法の所望の効果とは対照的に、低周波数および高周波数を長時間適用することができず、本装置が、歯のみをクリーニングし、歯肉の治療のために使用することができないことである。
【００１８】
したがって、当該技術分野で知られている装置は、時には地上の磁力に寄与するものの有意に下回る振幅および強度を有する非常に低い周波数を発生させる。しかしながら、かかる電磁場は、電流成分を含み、同じ理由の揺動を示すため、これらの歯列矯正器具の細胞レベルでの効果は、時間内に期待されるものではなく、患者により支持されるのが比較的困難であり、特に、高い感受性を有する患者により支持されることが比較的困難であり、互いに隣接する１つ、２つ、または３つの歯にのみの適用しか可能にせず、治療時間を増加させる。
【００１９】
国際特許出願第ＷＯ２０１２／０９３２７７Ａ１号の要約にその結果が提示されている、歯肉細胞の培養物についての従来の調査は、極度に低い周波数−ＥＬＦ−の電磁場発生、および動物の細胞がこの磁場に供されることが、細胞に対する有意な再生効果を生成することを示した。歯肉細胞の培養物をペトリ皿内に配置し、ペトリ皿をヘルムホルツ型構造物内に配置したときに、種々のインパルスおよび強度を有する電磁場に種々の時間供された。
【００２０】
この国際出願における電磁場の発生のために使用されている装置は、電磁パルスを発生させるための２つのチャネルを有し、各々が、２つの同期発振器からなり、各１つが周波数ＥＬＦを発生し、かつ交互に機能し、その結果、チャネルからの１つのみの発振器が、周期性に従って特定の時間に動作する。加えて、この装置はまた、パイロット発振器の選択の周波数、および発振器のロック動作を交互に入れ替え、２つの制御信号を介して各選択されたチャネルにより放出された周波数を変更する、パイロット発振器により制御された回路と組み合わされた、選択されたチャネルにおける発振器の周波数を有する電磁場を発生させる最終回路および誘導コイルを含む。歯列矯正器具の動作中に、不利な形で、電流は、一定状態を維持しなかったため、適用された同じ周波数範囲内の変動および揺動を提示し、適用された磁場は、細胞組織に適用されている限り、妨害される。
【００２１】
治療／処置の種々の治癒技術を口腔内で適用するために、マウスガードが使用されているが、現在、口腔内で電磁場を適用するために使用されるマウスガードの構造は知られていない。
【００２２】
例えば、歯ぎしりの診断、定量化、および／または管理について、２０１４年０７月１７日付、国際特許出願第ＷＯ２０１４１１０５４８Ａ１において提示された、小型のマウスガードが知られている。実現化の一例によると、マウスガードトレイは、多数の圧力センサと、センサから外部処理ユニットにデ−タを供給するように構成された処理回路とを含む。センサアセンブリはまた、温度センサ、ｐＨ、および／または運動センサを含み得る。プロセッサは、例えば、スマ−トフォンまたはコンピュータであり得る。
【発明の概要】
【００２３】
本発明による歯科用キットにより解決される技術的問題は、同時にいくつかの領域において、または上顎の全体的な長さにおいて、均一の電磁場を確保し、黙示的に、治療時間を減少させることにあり、インプラントを実行するか、または実行しない、口腔内に発生した電磁場の不在下で、治療を続けることができ、患者は、電磁場の存在下で、治療中に動いてもよい。
【００２４】
本歯科用キットは、外側マウスガードであって、それらのうちの第１の外側マウスガードが３つの作業点を有し、第２の外側マウスガードが２つの作業点を有する、２つの外側マウスガードと、複数の作業点を有する外側マウスガードと、高極性を有するポリマーからなる材料と、電磁場を発生させる装置であって、装置が、マウスガードの内側で、０．７〜０．９ｍＴの範囲の誘導磁場を有し、５〜１０％の範囲の変動を有し、電磁場に供される領域内で、同じ点の周りに１ｃｍの距離で、かつ２００ｍＡの電流により生成された、歯根またはインプラントが位置付けられる領域内で可能な限り高い体積で、７〜８Ｈｚの範囲、好ましくは、７．６９Ｈｚの周波数を有する均一磁場を発生させる、装置と、を備え、磁場線が、箱内に配置された標的組織上で直角に交わり、
３つの作業点を有する前記マウスガードが湾曲本体からなり、湾曲本体が、顎部の解剖学的形状に従い、湾曲外側、およびそれぞれ湾曲前面内側の、２つの壁を備え、それらの間で基礎壁と共にいくつかの下位ヘッドに接合し、外側壁が、外側、側面、およびそれぞれ末端の、いくつかのガイド部を有し、内側壁が、内側、側面、およびそれぞれ前面の、いくつかの他のガイド部を有し、かかるガイド部および他のガイド部が、いくつかの空間内に、かつ互いに区切られたいくつかの他の空間内に、３つのアクティブアプリケータを装着することを可能にするように、互いに２つずつ平行であり、これにより、同じ点の周りに１ｃｍの距離で、口腔のそれらの細胞組織の前に位置する領域内に、均一の電磁場が発生し、各アプリケータが、組成物中に、矩形の形態の極片と、楕円形状を有する蓋とプレ−トとの間の、極片の周りに配置されたコア部と、０．２〜０．４ｍｍの直径を有するエナメル銅線から製造されたコイルと、を有し、
２つの作業点を有する外側マウスガードが、別の湾曲本体からなり、別の湾曲本体が、顎部の解剖学的形状に従い、湾曲外側、およびそれぞれ湾曲内側の、２つの壁を備え、それらを基礎壁と共にいくつかの下位ヘッドに接合し、外側壁が、両端で開口する、いくつかの細長い空間を区切る、外側、側面、末端の、いくつかのガイドを有し、内側壁が、アプリケータ両端で開口する、いくつかの他の細長い空間を区切る、内側、側面の、いくつかの他のガイド部を有し、それらが他の空間と一緒になって、２つのアクティブアプリケータが装着される２つの作業点を形成し、
全弓構造物上で機能する複数の作業点を有する外側マウスガードが、金属湾曲本体からなり、金属湾曲本体が、顎部の解剖学的形状に従い、湾曲外側、およびそれぞれ内側の、互いに平行な２つの壁を備え、それらの間で、上壁の上顎部または下顎部上の、使用に応じて上部または下部に接合され、本体が、前面の、銅線から製造されたコイルの金属コアを形成し、コイルが、前面の２つの導電体を有し、それらを通じて、外側で、前記装置との電気接続が行われ、コイルが、ポリエチレンまたは材料から製造された層により被覆されており、
材料が、その後に顎部の解剖学的形状に従う個別化内側マウスガードの本体がある、サンドイッチの形態であり、
装置が、２００ｍＡの出力電流、２４Ｖの最大出力電圧のレベルを有する、２Ｈｚ〜２５Ｈｚの範囲の正弦波低周波数電流の発生器であり、かつマイクロプロセッサであって、同じ点の周りに１ｃｍの距離で、歯根インプラントが位置付けられるであろう領域内のより大きい体積で、０．７５ｍＴ〜０．９ｍＴの、均一の誘導強度の電磁場を発生させる低周波数電流の信号を発生させる、マイクロプロセッサと、ダイレクトデジタルシンセサイザであって、プロセッサにより導かれた高精度および安定性の２〜５０Ｈｚの変動を精密に有する、正弦波信号を直接発生させるように適合される、ダイレクトデジタルシンセサイザと、の周りに構築され、装置が、処理ブロック、シンセサイザ、電流反応を有するデジタル増幅器ブロック、音声増幅器ブロック、実時間に対するクロックブロック、メモリブロック、オン／オフスイッチブロック、および電源を含むことにより、上に述べられている欠点を取り消す。
【００２５】
本発明の一態様によると、個別化マウスガードの本体が、口腔の歯の前に配置された、いくつかのソケットを有し、それら自体の前にいずれかの欠損歯がある場合、自由空間を囲む２つのソケット間に、歯肉に接触するブラントが配置される。
【００２６】
本発明の一態様によると、個別化マウスが、３つもしくは２つの作業点を有するマウスガードの、または必要に応じて、複数の作業点を有するマウスガードの壁の各々に属する、基礎壁のうちの１つの接着により製造および固定される。
【００２７】
本発明の一態様によると、トレイの使用中の休止において、より多くの細胞をインプラントに移動させるように、口腔内で、別の自由な個別化マウスガードのみが適用され得、罹患細胞の回復を生じさせ、インプラントの表面上に達する細胞の形態型および表現型を保持し、ソケット骨内により良好に組み込むのを助ける。
【００２８】
本発明の一態様によると、サンドイッチの形態での材料は、高極性を有するポリマーからなり、それに、無機物粒体が、単独または混合物で、トパーズ、ヒスイ、炭酸カルシウム、オクタカルシウムホスフェート、ケイ酸、水晶振動子、塩もしくは地山、火山岩、動物の角の粉塵、または酸化ジルコニウムの粒体からなる、好ましくは天然の結晶構造もしくは物質と共に埋め込まれ、粒子のサイズが、２０〜１５０ｎｍである。
【００２９】
本発明の一態様によると、３つまたは２つの作業点を有するガイド部の各々に属する、基礎壁のうちの１つに取り付けられた、内側個別化マウスガードが使用され、このマウスガードが実施される材料が、酸化ジルコニウムの粒体を含有する。
【００３０】
本発明の一態様によると、極片が、最終的に、好ましくは１〜２ｍｍの厚さを有する、高極性を有するポリマー、好ましくは、ポリエチレンから製造された、層により被覆された、基礎壁の下壁と接触する。
【００３１】
本発明の一態様によると、かかる本体が、好ましくはポリ乳酸由来の３Ｄプリンタにより製造され、ガイド部を補強する、いくつかの外側突起部間に、８５．６ｍｍの長さならびに基礎壁のプロファイルヘッド部およびプロファイル面の長さを有し、外側壁が、好ましくは６５．６ｍｍの値を有する。
【００３２】
本発明の一態様によると、かかる本体が、酸化ジルコニウムから製造される。
【００３３】
本発明の一態様によると、コイルが、翼部の継続において、磁場が骨の深度において均一である体積を判定するために、互いに平行な翼部の外縁において、かつ電流が４００ｍＡまで引き上げられたときに、均一の誘導電磁場であるように、隣接する線において均一の有線である。
【００３４】
本発明の一態様によると、マウスガードが、共に全体的な顎部を被覆する、２つの分離した半マウスガードから製造され、各々が、半弓状であり得、各半マウスガードが、それぞれ、前面のコイル、およびそれぞれ、２つの前面導電体を有し、それを通じて、装置と電気接続により実施され、よって、各半マウスガードまたは両方の半マウスガードにより発生した電磁場が、治療される全体的な領域上で、８％未満の差異を有する、高い均一性を有する。
【００３５】
本発明の一態様によると、マイクロプロセッサ、表示装置、およびいくつかの接続ジャックからなる処理ブロックが、マイクロプロセッサを通して、下記の信号、すなわち、
シリアル通信のためのクロック信号、
シリアル通信のためのデ−タ信号、
通信中に表示装置を選択する、ピンｎｒ３７に対する信号、
通信中にメモリを選択する信号、
読み取り−書き込みメモリを選択する信号、
書き込み信号を選択する信号、
通信ｉ２Ｃのためのデータベース信号、
Ｉ２Ｃ通信のためのクロック信号、
自動メンテナンスのオンスイッチ（１でアクティブ）のスイッチ信号、
指令出力電流レベルのための発生器に対する可変フィルファクタによる矩形の信号、
シンセサイザのためのクロック信号、
間欠的なＬＥＤの点灯を通したフラグ動作による信号、
メモリからの、マイクロプロセッサのピン３０から出た発生器によりフィルタリングされた、読み取り信号、
マイクロプロセッサのピン１から生じる光バックライト表示装置への信号、
マイクロプロセッサ内の入力信号、
交互の形態で生じ、マイクロプロセッサ内で数値フィルタリングされ、かつ測定された、出力電流の測定信号、
電池監視のために電源電圧から分割された定電圧の信号、
装置をオフにするオン／オフスイッチにより与えられる信号、
電流測定のための基準電圧の信号
を発生させる。
【００３６】
本発明の一態様によると、シンセサイザが、電流反応を組み込む変調器と共に製造され、信号を制限する、正弦波信号発生器を含む。
【００３７】
本発明の一態様によると、電流反応を有するデジタル増幅器ブロックが、スイッチクラスＤの線形増幅器を含む。
【００３８】
本発明の一態様によると、音声増幅器ブロックが、低電圧の電力トポロジーＢＴＬ内の低電圧の増幅器である。
【００３９】
本発明の一態様によると、メモリブロックが、治療の音声ファイルおよびメモリ履歴ならびに任意の情報をアップロードするための１０２４キロバイトのメモリを有する集積回路を有する。
【００４０】
本発明による歯科用キットは、下記の利点、すなわち、
同時に顎部の異なる領域において、またはその全体的な長さにおいて、一定の均一の電磁場を確保し、治療時間を減少させること、
口腔顎顔面領域内の細胞レベルでの組織の活性化の継続を可能にすると同時に、マウスガードが装置内に差し込まれないこと、
患者の治療中に、患者の一部に対するいかなる労力を費やすことなく、口腔装置が、良好に支持され、個別化されること、
比較的単純な構造、
動作の安全性
を提示する。
【００４１】
下記において、以下を意味する、図１〜３９に関して本発明により歯科用キットを生成する３つの型がある。
【図面の簡単な説明】
【００４２】
【図１ａ】図１ａは、本発明の実現化の２つの例による歯科用キットのブロック図である。
【図１ｂ】図１ｂは、本発明の実現化の２つの例による歯科用キットのブロック図である。
【図２】図２は、本発明による、３つの作業点を有するマウスガードの平面図である。
【図３ａ】図３ａは、本発明による、３つの作業点を有する外側マウスガードの斜視での底面図である。
【図３ｂ】図３ｂは、本発明による、２つの作業点を有する外側マウスガードの斜視での底面図である。
【図４】図４は、大きい極性を有するポリマーから製造された層を有する被覆マウスガードの底面図である。
【図５】図５は、アクティブサブアセンブリのコア部の平面図である。
【図６】図６は、アクティブサブアセンブリの極片の斜視での図である。
【図７】図７は、アクティブサブアセンブリのコイルの側面からの図である。
【図８】図８は、コイルの蓋の側面からの図である。
【図９】図９は、アクティブサブアセンブリを通して図７に描写された、Ａ−Ａ平面に従った断面である。
【図１０】図１０は、極性コイルが固定された極片を通して長手方向平面に従った断面である。
【図１１ａ】図１１ａは、内側マウスガードの斜視平面図である。
【図１１ｂ】図１１ｂは、内側マウスガードの材料の図である。
【図１２】図１２は、複数の作業点を有するマウスガードの平面図である。
【図１３】図１３は、別の実施形態における、複数の作業点を有するマウスガードによる平面図である。
【図１４】図１４は、別の実施形態における、複数の作業点を有するマウスガードによる平面図である。
【図１５ａ】図１５ａは、実現化のさらなる例である、２つの半マウスガードからなるマウスガードである。
【図１５ｂ】図１５ｂは、実現化の別の例による、３つの区分からなるマウスガードである。
【図１６】図１６は、図１３からの光景であるマウスガードの後部の図である。
【図１７】図１７は、図１４に提示されている正面の光景の図である。
【図１８】図１８は、内側マウスガードの図である。
【図１９】図１９は、実現化の別の例による、内側マウスガードの斜視での図である。
【図２０】図２０は、実現化の別の例による、内側マウスガードの斜視での図である。
【図２１ａ】図２１ａは、実現化の別の例による、内側マウスガードの斜視での図である。
【図２１ｂ】図２１ｂは、実現化の別の例による、内側マウスガードの斜視での図である。
【図２２】図２２は、歯科用キットの実現化の一例による、電磁場を発生させるための装置のブロック図である。
【図２３】図２３は、歯科用キットの実現化の一例による、磁場を発生させるための装置の詳細な電子方式である。
【図２４】図２４は、歯科用キットの実現化の一例による、電磁場を発生させるための処理装置の電子方式である。
【図２５】図２５は、歯科用キットの実現化の一例による、電磁場を発生させるための正弦波発生器装置の電子方式である。
【図２６】図２６は、歯科用キットの実現化の一例による、増幅器デジタル電磁場発生装置の電子方式である。
【図２７】図２７は、歯科用キットの実現化の一例による、電磁場を発生させるための音声増幅装置の電子方式である。
【図２８】図２８は、歯科用キットの実現化の一例による、電磁場を発生させるための実時間クロックブロックの電子方式である。
【図２９】図２９は、歯科用キットの実現化の一例による、電磁場を発生させるブロック図メモリの電子方式である。
【図３０】図３０は、歯科用キットの実現化の一例による、電磁場を発生させるための図の開始／停止ブロック装置の電子方式である。
【図３１】図３１は、歯科用キットの実現化の一例による、電磁場を発生させるための電力装置の電子方式である。
【図３２】図３２は、本発明による歯科用キットを使用した治療の前後の患者について製造された放射線画像である。
【図３３】図３３は、本発明による歯科用キットを使用した治療の前後の患者について製造された放射線画像である。
【図３４】図３４は、本発明による歯科用キットを使用した治療の前後の患者について製造された放射線画像である。
【図３５】図３５は、本発明による歯科用キットを使用した治療の前後の患者について製造された放射線画像である。
【図３６】図３６は、本発明による歯科用キットを使用した治療の前後の患者について製造された放射線画像である。
【図３７】図３７は、本発明による歯科用キットを使用した治療の前後の患者について製造された放射線画像である。
【図３８】図３８は、本発明による歯科用キットを使用した治療の前後の患者について製造された放射線画像である。
【図３９】図３９は、本発明による歯科用キットを使用した治療の前後の患者について製造された放射線画像である。
【発明を実施するための形態】
【００４３】
本発明によると、歯科用キットは、３つの作業点を有する外側マウスガードＡと、２つの作業点を有する外側マウスガードＢと、複数の作業点を有する外側マウスガードＦと、高極性を有するポリマーからなる材料１２と、箱（装飾的でない）内に配置された電磁場を発生させる装置Ｄとを備える。装置ＤおよびアプリケータＥからなるアセンブリは、マウスガードＡまたはＢまたはＦの内側に、０．７〜０．９ｍＴの範囲の誘導磁場を有し、５〜１０％の範囲の変動を有し、電磁場に供される領域内で、同じ点の周りに１ｃｍの距離で、２００ｍＡの電流により生成された、歯根またはインプラントが位置付けられる領域において可能な限り高い体積で、７〜８Ｈｚの範囲、好ましくは７．６９Ｈｚの周波数を有する、均一磁場が発生するように製造され、磁場線は、標的組織上で直角に交わる。
【００４４】
マウスガードＡは、湾曲本体１からなり、湾曲本体１が、顎部の解剖学的形状に従い、湾曲外側、およびそれぞれ、湾曲前面内側の、２つの壁ａおよびｂを備え、それらの間で、基礎壁ｅを有するいくつかの下位ヘッド部ｃおよびｄに接合する。
【００４５】
外側壁ａは、両側面で開口する、いくつかの細長い空間ｉ、ｊ、およびｋを区切る、外側、側面、およびそれぞれ、末端の、いくつかのガイド部ｆ、ｇ、およびｈを有する。ガイド部ｆ、ｇ、およびｈのいくつかの短い外側壁ｌ、ｍ、およびｎは、内部が平面である。
【００４６】
内側壁ｂは、空間ｉ、ｊ、およびｋと一緒になって、３つの作業点を形成する、両端で開口する、いくつかの細長い空間ｒ、ｓ、およびｔを区切る、内側、側面、およびそれぞれ前面の、いくつかの他のガイド部ｏ、ｐ、およびｑを有する。ガイド部ｏ、ｐ、およびｑのいくつかの外側の短い壁ｕ、ｖ、およびｗは、内部が平坦である。
【００４７】
湾曲ＡおよびＢは、それらの間の距離が等しい。
【００４８】
ガイド部ｆ、ｇ、およびｈならびに他のガイド部ｏ、ｐ、およびｑは、いくつかの空間ｉ、ｊ、およびｋ内に、かつ互いに区切られた、いくつかの他の空間ｒ、ｓ、およびｔ内に、同じ点の周りに１ｃｍの距離で、口腔のそれらの細胞組織の前に位置する領域内で、均一の電磁場を発生させる、３つのアクティブアプリケータＥを装着することを可能にするように、互いに２つずつ平行である。各アプリケータＥは、組成物内に、互いに平行ないくつかのアーム部ｅ’およびｆ’が提供された、片側に開口ｄ’を有し、貫通下孔ｇ’およびｈ’のうちの１つを有する、矩形の形態の極片２を有する。
【００４９】
ｇ’およびｈ’の前のアーム部ｅ’およびｆ’から、リベット３を使用して、前プレート４および蓋５が固定され、それらの間に、リベット３により貫通されたコア部６が配置される。
【００５０】
最初に、蓋５、コア部６、およびプレート４は、リベット７および８の手段により、それらの間で共に接合され、次に、蓋５、コイル６、およびプレ−ト４は、リベット３によりアーム部ｅ’およびｆ’の各々により、共に接合される。
【００５１】
各コア部６の周りで、好ましくは２．５ｃｍの距離がある、好ましくは楕円形状を有する蓋５とプレ−ト４との間に、０．２〜０．４ｍｍの直径を有するエナメル銅線から製造されたコイル９が配置される。コイル９の端部は、好ましくは、スズメッキである、ガラス−Ｔｅｘｔｏｌｉｔｅにより達成された蓋５内に実装された、装飾的でない、いくつかの貫通孔を通して穿孔される。
【００５２】
蓋５は、楕円の形態を有し、好ましくは、２７．０ｍｍの長さ、１２．０ｍｍの高さ、および０．５ｍｍの厚さを有し、リベット７および８を交差した穿孔孔の中心間の距離は、好ましくは、１４．５ｍｍである。
【００５３】
したがって、外側壁ａのガイド部ｆ、ｇ、およびｈの前にならびにそれぞれ、空間ｉ、ｊ、およびｋ内の、ならびにそれぞれ、空間ｒ、ｓ、およびｐ内の、内側壁ｂのガイド部ｏ、ｐ、およびｑの前に、３つのアプリケータＥが配置され、その結果、極片２は、最終的に、１〜２ｍｍの厚さを有する、高極性を有するポリマー、好ましくは、ポリエチレンから製造された、層１０により被覆された、基礎壁ｅの下壁ｉ’に接触する。
【００５４】
極片２は、好ましくは、鋼により実施され、５５ｍｍ、５８ｍｍ、または６１ｍｍの長さのうちの１つ、および１１．４ｍｍの幅を有し得る。必要に応じて、極片２は、１９ｍｍ、２２ｍｍ、２５ｍｍ、または２８ｍｍの開口ｄ’の可能性のうちの１つを有し得、コイル９のアーム部ｅ’およびｆ’の固定後に、１５ｍｍ、１８ｍｍ、２１ｍｍ、または２４ｍｍの可能性を生じる。
【００５５】
本体１が、好ましくはポリ乳酸由来の３Ｄプリンタにより製造され、ガイド部ｆおよびｇを補強する、いくつかの外側突起部ｊ’間に、８５．６ｍｍの長さならびに基礎壁ｅのプロファイルヘッド部ｋ’およびプロファイル面ｌ’の長さを有し、外側壁ｎが、好ましくは６５．６ｍｍの値を有する。
【００５６】
コア部６は、楕円の形状を有し、好ましくは、１８ｍｍの長さ、６．０ｍｍの高さを有し、リベット８、３、および７の貫通された図に記されていない３つの穿孔孔を有し、孔の中心間の距離は、７．２５ｍｍであり、厚さは、１．５ｍｍである。
【００５７】
コイル８は、いくつかの外部湾曲線Ｒ１、およびそれぞれ、Ｒ２を有し、２７．０ｍｍの全長、１２．０ｍｍの高さ、１４．５ｍｍの楕円の中心間の距離、および１．５ｍｍの厚さを有する、楕円形状、好ましくは、いくつかの円天井のヘッド部ｍ’およびｎ’を有する。
【００５８】
壁ＡおよびＢにより境界付けされた空間ｏ’内に、それ自体が知られている方法で、歯科医の処方に従って患者が装着するように、患者の解剖学的特殊性に対する歯科医の働きにより製造された内側個別化マウスガードＣが、位置付けおよび接着され得る。個別化マウスガードＣは、高極性を有するポリマーからなる材料１２から製造された、上顎部およびそれぞれ下顎部の形状および輪郭を要する本体１１を有し、そのポリマーに、無機物粒体が、単独または混合物で、トパーズ、ヒスイ、炭酸カルシウム、オクタカルシウムホスフェート、ケイ酸、水晶振動子、塩もしくは地山、火山岩、動物の角の粉塵、または酸化ジルコニウムの粒体からなる、好ましくは天然の結晶構造もしくは物質と共に埋め込まれ、これらは、７．６９Ｈｚの強度値を有する、環境保全型の周波数磁気細胞の隣接する歯および／またはインプラントに対する共鳴および局部抵抗、または少なくとも同じ点の領域内での均一の誘導を減少させるように設計されており、粒子径は、２０〜１５０ｎｍである。
【００５９】
本体１１が製造される材料１２を得るために、好ましくは、粒体、酸化ジルコニウムまたは酸化ジルコニウム、および石英を、得られ得る溶融温度で高極性を有するポリマーと混合させた後、ポリエチレン混合物を溶融し、次に冷却および再粒状化し、これらの粒子を金型内で加熱または冷却により圧搾して、所望の形状を得る。さらに、マウスガードＡまたはＢと共に使用するマウスガードＣを使用することによる副作用のリスクを減少するために、これらの粒体を２つ以上のポリマー箔の極性間で加熱圧搾して、材料１２のサンドイッチ型を得る。
【００６０】
本体１は、処理を通じて、最良の方法の酸化ジルコニウムで達成され得、ガイド部ｆ、ｇ、およびそれぞれｈに、かつ３つのサブアセンブリＥが装着されたガイド部ｏ、ｐ、およびｑに嵌合された壁ａおよびｂを有する。
【００６１】
この構造的な実施形態において、個別化マウスガードＣの本体１１は、酸化ジルコニウム粉末中に埋め込まれたポリエチレンから製造されたサンドイッチの形態の材料１２から製造される。
【００６２】
したがって、局部抵抗のより顕著な減少、およびそれに続く、より大きい磁場の共鳴が確実となり、インプラントは、チタンおよび酸化ジルコニウムまたは酸化ジルコニウムから、好ましくは、結晶構造を有する無機物または物資から圧搾された、粉末もしくは粒体の形態で製造される。本事例ではマウスガードＣを使用することにより、たとえ、治療中に患者が動くか、または動く傾向があったとしても、治療中のより良好な安定性が得られる。
【００６３】
口腔内での本発明による歯科用キットの使用中、本体１およびマウスガードＣを口腔内に配置し、適した上部または下部歯肉を被覆した後、インプラントの前に位置する各領域において、チタンおよび／または酸化ジルコニウムのみから製造された構造的な構成要素を有する、少なくとも１つの歯科インプラントが、１つずつ行われ、装置Ｄによるコイル８の端部間の連結が実施される。
【００６４】
マウスガードＡまたはＢまたはＦの使用中の休止において、より多くの細胞をインプラントに移動させるように、口腔内で、別の自由な個別化マウスガードＣのみが適用され得、罹患細胞の回復を生じさせ、インプラントの表面上に達する細胞の形態型および表現型を保持し、ソケット骨内により良好に組み込むのを助ける。
【００６５】
組成物材料１２のこれらの無機物粒体または結晶構造物質は、空間の生体適合性のある電磁波と共鳴する低周波数揺動を発生させる。
【００６６】
マウスガードＢは、湾曲本体１３からなり、湾曲本体１３が、顎部の解剖学的形状に従い、外側、それぞれ内側の、２つの湾曲壁ｎ’およびｍ’を備え、それらの間で、基礎壁ｑを有するいくつかの下位ヘッド部ｏ’およびｐ’で接合される。
【００６７】
外側壁ｎ’は、両端で開口する、いくつかの細長い空間ｔ’およびｕ’を線引きする、外側、側面、末端の、いくつかのガイド部ｒ’およびｓ’を有する。いくつかの短い外側壁ｖ’およびｗ’を有するガイド部ｒ’およびｓ’は、内側が平坦である。
【００６８】
内側壁ｍ’は、空間ｔ’およびｕ’と共に、２つの作業点を形成した、いずれかの端部で開口する、いくつかの他の細長い空間ｚ’’およびａ’’を区切る、内側、側面の、いくつかの他のガイド部ｘ’およびｙ’を有する。ガイド部ｘ’およびｙ’は、内側が平坦ないくつかの短い外側壁ｂ’’およびｃ’’を有する。
【００６９】
本体１３の寸法は、本体１の寸法と同一である。
【００７０】
ガイド部ｒ’およびｓ’ならびにガイド部ｘ’およびｙ’は、アクティブアプリケータＥの対応する空間ｔ’およびｚ’、ならびにそれぞれ、ｕ’およびａ’’内の装着を可能にするように、互いに２つずつ平行である。
【００７１】
本体１３は、加工処理を通じて、好ましくはポリ乳酸由来の、または主に酸化ジルコニウム由来の、３Ｄプリンタにより達成され得る。この最新の構造的な変動において、壁ｍ’および‘ｎ’に、２つのアプリケータＥが装着されたガイド部ｘ’およびｙ’を有する、ガイド部ｓ’およびそれぞれ、ｒ’が提供される。
【００７２】
個別化マウスガードＣは、その製造後、基礎壁ｑ’のアクリル壁等の材料により、空間ｍ’’およびｎ’’の区切られた空間ｈ’内に接着される。
【００７３】
マウスガードＦは、湾曲本体１４からなり、湾曲本体１４が、顎部の解剖学的形状に従い、外側、それぞれ内側の、２つの湾曲壁ｉ’’およびｊ’’を備え、それらの間で、基礎壁ｋ’’による下または上顎部上の、使用に応じて、上部または下部を一体化させる。本体１４は、好ましくは、銅線から製造された、金属または常磁性コイル１５のコア部を構成する。好ましくは、銅線は、０．２〜０．４ｍｍの直径を有し、１４０〜１５０個の多数の線を使用する。
【００７４】
前面のコイル１５は、２つの電気前面導体１６および１７を有し、それらを通じて、装置Ｄとの電気接続が実施される。外側で、コイル１５は、ポリエチレンまたは材料１２から製造された層１８により被覆される。
【００７５】
したがって、装置（Ｄ）により放出された非常に低い周波数の電磁場による生体再活性化治療は、アプリケータ（Ｅ）内に配設された、コイル９または１５を通して行われるだろう。
【００７６】
電磁場アプリケータ（Ｅ）（ＣＥＭ）は、Ｕ字形状を有し、２つの極２間に、再生を必要とする領域を含む。極間の距離は、１５〜２１ｍｍの範囲の適用領域内の弓の厚さに応じて変化可能である。ＣＥＭの均一性を有する深度は、アプリケータの最大長さである。次に、アプリケータＥを、治療を必要とする領域内の各患者に対するマウスガードＡまたはＢの内側に配置および固定する。このように、アプリケータＥが、患者が動かすことができない状態で、所望の領域にわたって厳密に作用することを確保する。
【００７７】
アプリケータＥを支持するマウスガードＡまたはＢを達成するために、石こう由来の作業モデルを成型し、厚さ２ｍｍの熱可塑性箔由来のマウスガードＡまたはＢを製造する、上顎弓の指紋法が必要とされる。アプリケータＥは、治療を必要とする領域上に接合および固定され、かつケーブルを通してＣＥＭの装置Ｄの送信器に接続される。弓上に、同時に口腔の非常に限定された空間に起因して、最大３つの歯のセグメントを含む、２つ（マウスガードＢ）または３つ（マウスガードＡ）のみの、かかるアプリケータＥ等を据え付けることができる。患者は、マウスガードＡまたはＢまたはＦを歯科領域に適用する方法、衛生的にキットを接続させる方法、ＣＥＭへの曝露の数について実践的な指示を受ける。
【００７８】
マウスガードＦは、材料１２により被覆され得るか、もしくは被覆されない場合があり、またはマウスガードＦの使用の開始前に、歯医者により、材料１２からの個別化マウスガードＣが実施され得、その後、マウスガードＣは、壁ｉ’’およびｊ’’に隣接する箔１８により側面で区切られた空間ｌ’’内に配置されるか、または、バンド１９および２０により装着され、次に、壁ｋ’’による粘着により接合される。コイル１５は、加えて、互いに平行な翼部の外縁部内で均一の値を有する、均一の磁場誘導があるように、隣接する線において有線である。
【００７９】
別の実施形態において、マウスガードＦは、全体的な顎部を共に被覆した、２つの分離した半マウスガードＦ１およびＦ２から製造され、各々は、半弓状であり得、各半マウスガードＦ１およびＦ２が、前面のコイル１５’、それぞれ１５’’、装置Ｄとの電気接続により実施される、２つの前面導電体１６’および１７’、およびそれぞれ１６’’および１７’’を有し、よって、各Ｆ１もしくはＦ２またはＦ１およびＦ２の両方により発生した電磁場は、治療される全体的な領域上での差異が８％未満である、高い均一性を有する。
【００８０】
別の実施形態において、マウスガードＦは、歯列弓形状を有するように共に粘着する、３つの区分Ｆ１、Ｆ２、Ｆ３からなる。配線のための支持体が製造される材料は、スズメッキである。
【００８１】
そのように製造されたマウスガードＦのＦ１、Ｆ２、Ｆ３の３つの区分は、
１）外側壁１．１（前庭部）
２）基部１．２
３）内側壁１．３（舌部）
である。
壁は、直角を形成するように、基部上で溶接される。
外側壁１．１の厚さは、１ｍｍであり、可変高さ（１３ｍｍ、１４ｍｍ、１５ｍｍ）である。
基部１．２（受容部領域）は、その結果、ほとんどの歯列弓の寸法（２２ｍｍ×６５ｍｍ）−小、（２５ｍｍ×７０ｍｍ）−中、（２７ｍｍ×７５ｍｍ）−大、を受容部領域内に包含することができるように、０．４０ｍｍの厚さ、可変幅、および長さである。
内側壁１．３は、０．４０ｍｍの厚さ、および可変高さ（１３ｍｍ、１４ｍｍ、１５ｍｍ）を有する。
【００８２】
これらの値を組み合わせて、下記の寸法：Ｒ＝受容部ＬＴ＝壁の長さを有する、一連の９つの個別のマウスガードモデルが製造される。
【００８３】
全体的な板金ブラケットは、シリコーン紙のバンドと共にあり、特殊なガンと共に適用されなければならない。
【００８４】
巻線は、下記の経路に及ぶ、銅φ０．４０ｍｍのラッピング線により行われる。
【００８５】
大きいサイズのマウスガードＦについて、巻線は、自由側からのその中心から前庭壁の外側で始まり、外側で右に継続し、壁の内側で継続し、それが初期開始場所の直ぐ下に達するまで、前庭壁の外側で継続し、次に、巻きプロセス｛（Ｈ１５ｍｍ）の場合約２５回、（Ｈ１４ｍｍ）の場合約２３回、（Ｈ１３ｍｍ）の場合約２０回｝を継続する。受容部領域の外側壁の基部で、先に提示された最後の線に達すると、３３〜３５個の線により、基部（受容部領域）の巻線が開始し、壁１．３の基部の受容領域で巻き取るまで、外側基部１．２上での巻線で継続する。基部１．２の受容領域内での巻線が完了した後、内側壁（舌部）での巻線に切り替わる。それは、｛（Ｈ１５ｍｍ）の場合約２５個の線、（Ｈ１４ｍｍ）の場合約２３個の線、（Ｈ１３ｍｍ）の場合約２０個の線｝での内側壁１．３の巻線である。
【００８６】
この工程は、特に、磁場が最小の非均一性（１０％未満）を有しなければならない受容領域内で、可能な限り均一である、全体的なマウスガードＦ（２つの壁１．１、１．３、および基部１．２）の継続的な巻線に対して、別の層の巻線と共に繰り返されるべきである。
【００８７】
外側壁１．１の頂部の巻線に達すると、そこから巻線が始まり、可能な限り均一に配置された、外側壁１．１｛（（Ｈ１５ｍｍ）の場合約２５個の線、（Ｈ１４ｍｍ）の場合約２３個の線、（Ｈ１３ｍｍ）の場合約２０個の線｝のみからなる第３の層に進む。
【００８８】
中程度のサイズ（Ｒが２５ｍｍであり、ＬＴが７０ｍｍであり、Ｈが１３ｍｍ、１４ｍｍ、１５ｍｍである）のマウスガードＦについて、巻線は、自由側からのその中心から前庭壁の外側で始まり、外側で右に継続し、壁の内側で継続し、初期開始場所の直ぐ下に達するまで、前庭壁の外側で継続し、次に、巻きプロセス｛（Ｈ１５ｍｍ）の場合約２５回、（Ｈ１４ｍｍ）の場合約２３回、（Ｈ１３ｍｍ）の場合約２０回｝を継続する。
【００８９】
受容部領域の外側壁の基部で、先に提示されている最後の線に達すると、３３〜３５個の線により、基部（受容部領域）の巻線が始まり、壁１．３の基部の受容領域内で巻き取られるまで、外側基部１．２上で巻線を継続する。
【００９０】
基部の受容領域での巻線が完了した後、内側壁１．３（舌部）での巻線に切り替わる。それは、内側壁１．３の外部領域上で継続した受容部領域での、｛（（Ｈ１５ｍｍ）の場合約２５個の線、（Ｈ１４ｍｍ）の場合約２３個の線、（Ｈ１３ｍｍ）の場合約２０個の線｝による、内側壁１．３での巻線である。
【００９１】
この工程は、特に、磁場が最小の非均一性（１０％未満）を有しなければならない受容領域内で、可能な限り均一である、全体的なマウスガードＦ（２つの壁および基部）の継続的な巻線に対して、別の層の巻線と共に繰り返されるべきである。
【００９２】
外側壁１．１の頂部の巻線に達すると、そこから巻線が始まり、可能な限り均一に配置された、外側壁１．１｛（（Ｈ１５ｍｍ）の場合約２５個の線、（Ｈ１４ｍｍ）の場合約２３個の線、（Ｈ１３ｍｍ）の場合約２０個の線｝のみからなる第３の層に進む。
【００９３】
小サイズのマウスガードＦ（Ｒが２２ｍｍであり、ＬＴが６５ｍｍであり、Ｈが１３ｍｍ、１４ｍｍ、１５ｍｍである）について、巻線は、自由側の中心から壁の外側で始まり、外側で右に継続し、壁の内側で継続し、それが初期開始場所の直ぐ下に達するまで、前庭壁の外側で継続し、次に、巻きプロセス｛（Ｈ１５ｍｍ）の場合約２５回、（Ｈ１４ｍｍ）の場合約２３回、（Ｈ１３ｍｍ）の場合約２０回｝を継続する。受容部領域の外側壁１．１の基部で、先に提示された最後の線に達すると、３３〜３５個の線により、基部１．２（受容部領域）の巻線が始まり、内側壁の基部の受容領域内で巻き取るまで、外側基部１．１上で巻線を継続する。基部１．２の受容領域での巻線が完了した後、内側壁１．３（舌部）での巻線に切り替わる。｛（Ｈ１５ｍｍ）の場合約２５個の線、（Ｈ１４ｍｍ）の場合約２３個の線、（Ｈ１３ｍｍ）の場合約２０個の線｝により、内側壁１．３で巻き取られる。
【００９４】
この工程は、特に、磁場が最小の非均一性（１０％未満）を有しなければならない受容領域内で、可能な限り均一である、全体的なマウスガードＦ（２つの壁および基部）の継続的な巻線に対して、別の層の巻線と共に繰り返されるべきである。
【００９５】
外側壁１．１の頂部の巻線に達すると、そこから巻線が始まり、可能な限り均一に配置された、外側壁１．１｛（（Ｈ１５ｍｍ）の場合約２５個の線、（Ｈ１４ｍｍ）の場合約２３個の線、（Ｈ１３ｍｍ）の場合約２０個の線｝のみからなる第３の層に進む。
【００９６】
外側壁１．１上で全ての３つの層の線が巻き取られると、巻線が始まった自由縁の近くに最後の線を残し、テスラメータでの電気測定を行った後、必要に応じて線を加える。テスラメータでのサンプル測定が満足できるものであれば、金属有線基部で終了される。
【００９７】
Ｔｅｘｔｏｌｉｔｅプレ−ト（コネクタ）との電気接続は、外側壁の中心で行われ、前庭壁は、アプリケータ基部Ｅの領域に向かって等しく配向され、使用中に患者の唇の機能障害は生じない。
【００９８】
巻線Ｆの端部で、外側壁上に３層の線、基部上に２層の線、および内側壁上に２層の線を有すると結論付けることができる。
【００９９】
いったんマウスガードが最適な動作パラメータであることが確率（基準）されると、医療用プラグと嵌合された電気コードによりケーブル接続し、歯科技術実験室で基部金属配線が送られ、装置を形成する特殊な真空で阻止され、ＵＶ殺菌される。
【０１００】
マウスガードＦ内に固定されたこのマウスガードＣとは別に、歯医者は、歯医者の処方に従って、患者により装着される、材料１２から個別化マウスガードＣを製造することができる。
【０１０１】
個別化マウスガードＣは、口腔の歯の前に配置された、ソケットｌ’’を有する、本体１１から製造され、自由空間を囲む２つのソケットｌ’’間にいずれかの欠損歯がある場合、歯肉に接触するブラントｍ’’が配置されるのが好ましい。
【０１０２】
電磁場を適用するための装置Ｄは、非常に低い周波数の電気場を発生させるため、マウスガードＡまたはＢまたはＦの内側に、０．７〜０．９ｍＴの範囲で構成され、５〜１０％の変動を有し、電磁場に供される領域内で、同じ点の周りに１ｃｍの距離で、２００ｍＡの電流により生成された、歯根またはインプラントが位置付けられる領域内でより大きい体積で、７〜８Ｈｚの範囲の、好ましくは、７．６９Ｈｚの、均一磁場の誘導が発生するように構築される。
【０１０３】
上のパラメータを得るために、実現化の例によると、装置Ｄは、２Ｈｚ〜２５Ｈｚの範囲の正弦波低周波数電流、２００ｍＡの出力レベル、２４Ｖ  ＲＭＳの最大出力電圧の発生器である。電力は、Ｌｉイオンアキュムレータの電池を通して達成される。
【０１０４】
実現化の例によると、装置Ｄは、低周波数の電流信号を発生させる、マイクロプロセッサＭの周りに構築される。
【０１０５】
装置Ｄにより、磁場周波数ＥＬＦは、１つのみであり、すでに固定されており、領域／標的内でのその均一の誘導は、実質的に０．７５ｍＴ〜０．９ｍＴであり、そのため、マウスガードのレベルにおいていくらかより大きいとき、骨の深度に対して４００ｍＡの電流を使用する場合、潜在的に最大３ｍＴであるだろう。
【０１０６】
通常、正弦波信号を発生させるために、いくつかの可能性があるだろう：
ａ．矩形信号の形態での周波数に対して、高周波数発生器およびプログラム可能な周波数分割器を使用し、次に、フィルタリングして正弦波形状を得る。これにより、フィルタ内の構成要素の公差に依存する振幅および分割器に起因する離散分解能を有する、いくつかの信号が発生する。この異形は、満足できるものではない。
ｂ．作業周波数で直接、正弦波発振器を構築するが、それは、正確性および安定性を有しないだろう。
ｃ．ダイレクトデジタル合成異形を使用するが、かかる異形は、好ましいものであり、下に詳述されるだろう。
【０１０７】
したがって、一定の継続的な信号および極度に低い周波数の正弦波を得るために、装置Ｄの回路の実現化の一例によると、７〜８Ｈｚ、好ましくは、７．６９Ｈｚの周波数で設定される、２〜５０Ｈｚの変動を精密に有する、直接的に正弦波信号を発生させるように適合された定電流ＤＤＳのデジタルシンセサイザを含む。ＤＤＳにより発生した信号は、プロセッサＭにより導かれた高い正確性および安定性を有する。
【０１０８】
実現化の一例によると、Ｄは、処理ブロックＢＰ、ブロック発生器洞ＰＭＷを含むシンセサイザＤＤＳ、電流反応を有するデジタル増幅器ブロックＢＡＤ、音声ブロック増幅器ＢＡ、実時間に対するクロックブロックＲＴＣ、メモリブロックＢＭ、オン／オフスイッチブロックＢＯＰ、および電力ユニットＡＬＩＭを含む。
【０１０９】
処理ブロックＢＰは、マイクロプロセッサＭ、表示装置ＤＡ、およびいくつかの接続ジャックＵＳＢからなる。マイクロプロセッサＭは、下記の信号：
シリアル通信に対するクロック信号ＳＣＫ、
シリアル通信に対するデ−タ信号ＳＤＡＴＡ、
通信中の表示装置ＤＡを選択する、ピンｎｒ３７に対する信号ＣＳＤ、
通信中にメモリを選択する信号ＭＥＭ  ＣＩＰ  ＳＥＬＥＣＴ、
読み取り−書き込みメモリを選択する信号ＳＯ、
書き込み信号ＤＤＳを選択する信号ＤＤＳ＿ＣＳ、
ＲＴＣでの通信ｌ２Ｃに対するデータベース信号ＳＤＡ、
ＲＴＣでのＩ２Ｃ通信に対するクロック信号ＳＣＬ、
自動メンテナンススイッチオン（１でアクティブ）のスイッチ信号ＰＯＷＥＲ、
指令出力電流レベルに対する発生器ＰＷＭのための可変フィルファクタを有する、矩形の信号Ｉ＿ｏｕｔ＿ｓｅｔ、
シンセサイザ（ＤＤＳ）に対するクロック信号ＤＤＳ＿クロック
間欠的なＬＥＤの点灯を通じたフラグ動作からの信号ＬＥＤ、
メモリからの、かつマイクロプロセッサＭのピン３０の中からの発生器ＰＷＭによりフィルタリングされた、読み取り信号ＡＵＤＩＯ、
マイクロプロセッサＭのピン１から生じる、光バックライト表示装置ＤＡへの信号バックライト、
マイクロプロセッサＭ内の入力信号：
交互の形態で生じ、マイクロプロセッサ（Ｍ）内で数値フィルタリングされ、かつ測定された、出力電流の測定信号（Ｉ＿ｍｅａｓ）、
電池監視のために電源電圧から分割された定電圧の信号（Ｂａｔ＿ｍｅａｓ）、
装置をオフにするオン／オフスイッチにより与えられる信号（Ｋｅｙ＿ｅｎｔｅｒ）、
電流測定のための基準電圧の信号（Ｒｅｆ＿２０４８）
を発生させる。
【０１１０】
コンピュータとの通信の要件を考慮して、直接Ｗｉｎｄｏｗｓ下でメモリスティックをロードするように、ＵＳＢを介して行われるロードのためにＢＯＯＴ  ＬＯＡＤＥＲをプログラムする必要のない、例えば、ＡＲＭ  Ｃｏｒｔｅｘ−Ｍ３マイクロプロセッサを使用することができる。このマイクロプロセッサは、Ｉ２ＣおよびＳＰＩ、ならびに小型カプセル（ＬＱＦＰ４８）等の通信システムを有する必要がある。
【０１１１】
ＤＤＳにより発生した正弦波信号は、１〜４００ｍＡで変化し得る調節可能な定電流を有するデジタル増幅器ブロックＢＡＤおよび音声ＢＡに進入するが、出力は、１つのみのプリセット値を有するであろう。周波数および電流の両方が、Ｍにより継続的に制御される。増幅フィルタリングブロックの出力は、その時点で使用されるマウスガードＡ、Ｃ、および／またはＦに基づいて、コイル８、９およびそれぞれ、１９に機能的に接続される、装置Ｄの関連する末端部に適用される。
【０１１２】
図２４に示されているシンセサイザＤＤＳの集積回路は、周波数Ｒｆｒｅｑの２つのレジストリ、および位相Ｒｐｈａｓｅの２つのレジストリを有し、２つの周波数および２つの位相をインターフェースＳＰＩのシステム内に書き込むことができる。本事例において、周波数レジスタＲｆｒｅｑのみを設定する。洞テーブルは、ＳＩＮ  ＲＯＭ内にあり、その走行は、マイクロプロセッサＭにより与えられたクロック発生器ＲＴＣの書き込まれた周波数で行われるだろう。例えば、クロック発生器を使用して、２５ＭＨｚまたはクロック信号の組み込まれたＲＴＣ７Ｗ−２５，０００ＭＢＡＴが、２１０を通じて１２ＭＨｚの水晶振動子を分けることにより、プロセッサＭにより得られ、ＤＤＳシンセサイザの基準クロック信号である１１７１８．７５Ｈｚを得る。
【０１１３】
出力電流の周波数分解能は、クロック周波数と周波数レジスタ２２８との間の比率である。
Ｒｅｚ＝１１７１８．７５／２２８＝０．００００４３６５５Ｈｚ
【０１１４】
洞ブロック発生器ＰＭＷは、電流反応およびＰＷＭ−信号値の限定に関わるいくつかの変調器からなる。それは、三角高周波数信号（１２０ＫＨｚ）をＤＤＳにより発生した正弦波信号と比較するためのシステムを使用し、その結果、入力信号が矩形の対称的な信号に変換される。この対称的な信号は、増幅され、電流反応信号と共に加えられ、ブロックデジタル増幅器ＢＤＡに適用される。したがって、これにより、デジタル増幅器ブロックＢＡＤおよびそれぞれ音声ＢＡ内の、かつ測定時のマイクロプロセッサＭ内の基準正弦波信号の取り付けのための電圧基準が確保される。
【０１１５】
電流反応を有するブロックデジタル増幅器ＢＡＤにおいて、洞ブロック発生器ＰＭＷからの信号は、ピン８（ＩＮ）の基準信号ピン１０（ＢＩＡＳ）に適用される。出力電流は、基準反応を通過して、Ｒ１３１を測定する。ブロックＢＡの生成された電圧は、増幅され、測定のための出力の電流値（Ｉ＿ＭＥＡＳ）を表し、一方で、入力信号を有するＲ１２５を通じて加えられ、電流反応を生成する。電流出力は、フィルタによる伝達およびｌ１０１、ｃ１０２、Ｉ１２１、およびｃ１２７をフィルタリングすることにより、ｏｕｔ１およびｏｕｔ２から得られる。
【０１１６】
ＢＡＤブロックは、線形増幅器を含み得るが、その効率は、最大５６％であり、出力電圧は、電源電圧に等しい偏位を有するが、本事例において、マウスガードの抵抗は、種々の値を有し、それは０％〜５６％であるということになり、これは、動作および退避の自律性を確保することができないため可能とされない。
【０１１７】
そのため、クラスＤ（スイッチ）の線形増幅器、例えば、ＭＡＸ９７６８を使用する。電力要件は、出力における３．６Ｗ  ＲＭＳである。
【０１１８】
音声増幅器ブロックＢＡにおいて、マイクロプロセッサＭから生じた音声信号は、４．７倍に昇圧され、末端部ｗ２０１およびｗ２０２を通してスピーカ内に差し込まれる、入力ブロック増幅器ＢＡで適用される。
【０１１９】
低電源電圧（３．７Ｖ）を有し、ブロックＢＡに対して、トポロジーＢＴＬの低電力での小電圧を選択する。例えば、集積回路ＬＭ４８６４を選択することができる。
【０１２０】
実時間クロックＲＴＣは、通常の集積回路作業、例えば、ＤＳ１３３７により製造され、３ボルトの補助電池により永久的に給電され、少なくとも２年間の自立を確保する。マイクロプロセッサＭ上で、日付および時間を設定し、読み取りを行う。
【０１２１】
メモリブロックＷＢは、集積回路、すなわち、２４  ＬＣ１０２４を構成する際に有し、１０２４キロバイトを節約することができる。音声ファイルは、マイクロプロセッサＭにより保存され、フィルタリングにより、記録された音声信号を表すＰＷＭ信号へと変換される。最小２００キロバイトを有する音声ファイルをその中にロードする必要があり、同時に、治療履歴および任意の情報が記録される必要があるため、１０２４キロビット／秒のメモリを選択されたい。例えば、メモリ２５ＬＣ１０２４を使用することができる。
【０１２２】
オン／オフスイッチブロックＢＯＰは、フロアスイッチＩ１およびフロアローディングＩ２を含む。電子フロアスイッチＩ１は、ＭＯＳＦＥＴ型Ｕ２０５、自動メンテナンスｑ２０２のトランジスタ、および隣接するレジスタにより製造される。圧搾の開始は、Ｄ２０９により停止し、それらの回路グリッドＵ２０５を極化する抵抗Ｒ２２３が開き、電池を装置Ｄに連結する。
【０１２３】
再設定後、第１にマイクロプロセッサが行うことは、トランジスタｑ２０２を開く信号発生ＰＯＷＥＲであり、自動メンテナンスが、回路Ｕ２０５を開く。
【０１２４】
停止のために、スイッチオフを押すことにより、マイクロプロセッサＭのピン３３からの電圧は、ダイオードＤ１０２によりキャンセルされ、これは、パラメータ救命機能を行う、プロセッサＭの信号に対するオフを意味し、次に、信号電力をキャンセルし、装置が停止する。
【０１２５】
フロアローディングＩ２は、クロック発生器ＰＷＭ  Ｕ２０２、ＭＯＳＦＥＴ  Ｕ２０３の半ブリッジ、電圧調整器Ｕ２０７、および電流制限回路Ｕ２０４により達成される。
【０１２６】
充電器の導入により、クロック発生器ＰＷＭ  Ｕ２０２が供給され、信号ローディングを生成する。出口フィルタＬ２０２で、４．２Ｖの電圧が生じ、生成された信号ＰＷＭを変調する発生器ＰＭＷ  Ｕ２０７を介して制御される。この電圧が供給されたマイクロプロセッサＭは、信号ローディングを開始および検出する。
【０１２７】
次に、電子スイッチＣＥを開き、アキュムレータを充電に連結する。
【０１２８】
負荷電流は、レジスタントグループＲ２０５、Ｒ２１１、およびＲ２１４、ならびに発生器ＰＭＷ  Ｕ２０４上で測定され、４．２Ｖの電圧を低減することにより、２Ａ値でのＰＷＭ変調により適合される。
【０１２９】
２Ａの電池の電流下で、電圧は上昇し、４．２ボルトの値を達成する際に、電圧調整器は、信号変調ＰＷＭをとり、４．２Ｖの電圧を維持し、最大０の負荷電流の低下に反映される。
【０１３０】
電源ＡＬＩＭは、昇圧コンバータ型である１４ボルトの源を組み込み、集積回路Ｕ２０１およびトランジスタＱ２０１と共に製造される。出力電力は、Ｒ２０６、Ｒ２０９、およびＲ２１０のセンス抵抗値を選択することにより、５Ｗに限定される。ＡＬＩＭブロックはまた、集積回路、例えば、３．４ボルトの最小入力電圧を有するＭＣＰ１８０４により行われる、３．３ボルトの源を含む。
【０１３１】
基本的に、並列であり、直列でない、いくつかの電池を配置する場合、ローディングシステムを容易にするためにリチウムイオン電池の電源電圧を使用し、それ以降は、バランス回路であるべきである。ＡＬＩＭブロックは、電圧が４．２Ｖに達したときに、定電流の制限の源でなければならない。電池容量は、最大出力電力、効率、および動作の自律性に従って判定される。８０％のグローバル効率および電源３．５Ｖの最小電圧に対して、計算により、５Ｗｈのエネルギーを生じる。
【０１３２】
１．４２Ａｈの流れが確保されなければならない。２時間のより大きい自律性のために、２Ａｈの各容量を有する並列で接続された２つの電池を使用する。
ａ．３．３Ｖの供給に対して、入力電圧が３．５〜４．２Ｖ（源通信を正当化しない）であるため、線形源ＬＤ（飽和で電圧のわずかな低下を有する）を選択する。
ｂ．電力フロアを供給するために、１４Ｖかかり、可変昇圧コンバータ、例えば、ＭＡＸ６６８を選択する。
【０１３３】
患者に対して実施された試験の結果
発明者の個人調査は、２つの区別可能な方向：骨統合インプラントの酸化ジルコニウムのシステムイノベーション−先の先行技術の提示において詳細に提示されたトピック、および骨組織に対する電磁場の影響に焦点を当てており、我々は、本章で詳細に展開するつもりである。調査の目的は、この疾患を有すると診断された患者が、実地時間にできる限り自然な状態保存することができるような、歯周メンテナンスの治療における補助療法を発見することである。
【０１３４】
検討が不十分な領域における比較的多様な文献に基づいて、再生特性を有する周波数電磁気を特定および分離することができた。装置（Ｄ）の動作原則の説明ならびに生体適合性の研究が、先の章に記載されている。
【０１３５】
歯科キットおよびその作用の領域内で、歯周および歯内病変およびインプラント周囲疾患の分野において試験し、それぞれ、骨統合インプラント療法における治癒プロセスを改善する。臨床試験は、国内外の臨床医と協力して民間の診療所で行われた。
【０１３６】
歯周病理学の分野において、臨床研究は、２４か月の期間延長され、急性／慢性歯周炎を罹患していると診断され、一般化または局所化された住所で、２９歳から６０歳の年齢で、臨床的に健康な代謝性疾患または全身性疾患と診断されていない２０人の患者、ならびに口腔領域内の点検を受け、治療的処置に従っていない患者群を含んだ。歯石除去およびブラッシングを含む、散在的な塗装の専門家のみの、特定の治療を含まない、歯周の病歴を有する患者を選択されたい。
【０１３７】
放射線検査および実験室での試験に付随する一般的な歯の状態後、最初に、歯垢指数および歯周病変を設定する歯周の状態を有する患者が実施された。
【０１３８】
歯周病の複雑な性質を考慮して、治療についての主要な方向性を決定し、治療についての３つの主要な段階を記述した。
【０１３９】
患者の治療は、下記の指示、すなわち、
１．抗菌治療、
２．外科手術治療、
３．咬合調整の治療、
４．周縁の歯周炎の生体再活性化による構造的かつ機能的回復の治療
に従うことにより、歯周病の局地性に限定された。
【０１４０】
いったん治療についてのこれらの一般的な指示が構築されると、それらは、疾患のさらなる進行状態ならびに患者の時間および材料可能性に応じて、小さい変更を受けた。
【０１４１】
初期治療は、２０Ｈｚの波長を有するＮｄ：ＹＡＧ  ＬＡＳＥＲダイオードを使用した、歯肉の歯石除去および創面切除、歯石除去、超音波手動の上および下歯肉の完全な殺菌による周縁の慢性歯周症の急性合併症への介入、ならびに絡まった歯根の残りにより維持された感染および炎症プロセスの抑制に焦点が置かれた。我々の非常に重要な役割は、疾患の段階についての患者の認識、ならびにブラッシングおよび実用品により家庭で実施されるクリーニング工程についての指示に起因する。
【０１４２】
口腔衛生のレベルを評価するために、軟質堆積物の歯石−指数−指数ＤＩおよび有機堆積物の歯石指数−ＣＩ−から構成される、口腔清掃指数−口腔清掃指数−ＯＨＩ−組み合わせ指数が使用される。これらの２つの指標の各々は、弓の各々が３つのセグメントに分割される、歯の前庭部および口腔表面上で明らかな軟質堆積物、すなわち、歯石の量に基づいて数値的に判定される。６つのセグメントの各々に対して、問題のセグメントに対する最大値を有する歯が考慮される。
【０１４３】
軟質堆積物−ＤＩ−の評価基準：
スコア０−硬質または軟質堆積物の着色がない、
スコア１−軟質堆積物（しかし、多くはない）が歯肉の３分の１に存在するか、または軟質堆積物を有しない外因性の着色、
スコア２−軟質堆積物が歯の表面の３分の１〜３分の２に存在する、
スコア３−軟質堆積物が歯の表面の３分の２超に延びて存在する。
歯石（ＣＩ）の堆積物のクラス分けに対する評価基準：
スコア０−歯石堆積物が存在しない、
スコア１−上歯肉の歯石の堆積物が歯肉の３分の１に存在するが、それ以上は存在しない、
スコア２−上歯肉の歯石の堆積物が下歯肉の歯表面の３分の１〜３分の２に存在するか、または歯頸領域に沿った島の形態もしくは両方の形態で付いている、
スコア３−上歯肉の歯石の堆積物が歯頸に沿った継続的なテープの形態または両方の形態で歯表面の下歯肉の歯石の３分の２に存在する。
【０１４４】
軟質および歯石堆積物に対する評価スコア後、ＯＨＩの値を計算した。
ＤＩ＝分析されたセグメントの個別の値／数の合計
ＣＩ＝分析されたセグメントの個別の値／数の合計
計算式：ＯＨＩ＝ＤＩ＋ＣＩ。
【０１４５】
患者は、１か月目は毎週、次に、１か月に２回、周波数による定期検査に呼び戻され、クリーニング技術について支援／再指示を行い、殺菌が大いに必要な領域を明らかにすることで、各々が、１〜２の指数ＯＨＩを得ることができた。この瞬間からのみ、治療の二次的段階に向かって前進することができた。
【０１４６】
矯正治療は、必要な場所での、再構築工程、閉塞検出を通じた歯の閉塞の再平衡化、および歯冠の輪郭から適合されない歯の閉塞等の医原性因子の除去、歯肉の輪郭に対する合理的な適合、虫歯で罹患した歯の形態の修復、繊維ガラス片による歯周歯の固定の補綴回復にある。
【０１４７】
この段階において、アプリケータＥ内に配置されたコイル９または１５を通して装置Ｄにより放出された、非常に低い周波数の電磁場による、生体再活性化の治療が適用された。
【０１４８】
アプリケータＥの電磁場ＣＥＭは、２つの極間に、再生を必要とする領域を含むＵ字形状を有する。極間の距離は、１５〜２１ｍｍの範囲の適用領域内の弓の厚さに応じて変化し得る。ＣＥＭが作用する距離は、アプリケータの最大長さである。次に、アプリケータＥは、内側マウスガードＡまたはＢ上に配置および拘束され、各患者に対して、治療を必要とする領域上で直接使用される。このように、アプリケータＥが、患者が動かすことができない状態で、所望の領域にわたって作用することを確保する。
【０１４９】
アプリケータＥを支持するマウスガードＡまたはＢまたはＦを達成するために、指紋法、弓顎部モデルの鋳造石こう作業を行い、マウスガードＡまたはＢまたはＦを約２ｍｍの熱可塑性箔から製造する。アプリケータＥは、治療を必要とする領域上で接合および固定され、ＣＥＭの装置Ｄの送信器に接続される。弓道上に、同時にそれらの極間に最大３つの歯のセグメントを含む、口腔のマウスガードの非常に限定された空間に起因して、２つ（マウスガードＢ）または３つ（マウスガードＡ）のみのアプリケータＥを据え付けることができる。患者は、マウスガードＡまたはＢまたはＦを歯科領域上に適用する方法、衛生的にキットを接続する方法、ＣＥＭの曝露の数について具体的に指示を受ける。
【０１５０】
ＣＥＭの曝露は、初期数の最小３０セッションにおいて各々、１〜２時間のセッションで行われ、その間、患者は、会話、飲食ができないが、自宅で快適に単純な活動を行うことができる。セッションは、治療の最大効率のために毎日行うか、またはそれらの間に７日を超えない間隔で行うことが推奨される。
【０１５１】
先の２つの治療段階の適用後、治療に従い、再感染、新たな形態学的障害および機能不全の引き延ばし、その結果としての再発を予防することを企図した個別化された固定を通して得られた結果を維持する。ＥＭＦへの曝露は、組織レベルでの成長因子の刺激の機構を通じて機能するため、治療の最終段階において、さらに予防的範囲においても、年に一度、本発明による歯科用キットによる治療が推奨される。
【０１５２】
歯周炎上で実施される治療は、どんなに困難で、費用を要し、正しく行われようとも、綿密な検査プログラムを構築しなければ、経時的に持続的な効果が続かない。それは、口腔衛生状態：治療結果を維持する最も重要な要素、歯肉の歯石除去および創面切除による再発の予防、後に生じる虫歯の治療に従う。患者のスクリーニングおよび定期検査は、規定である：治療後１年目は３か月毎に、２年目は６か月毎に、かつ疾患の再発を引き延ばすために毎年または必要なときはいつでも行う。
【０１５３】
治療の別の実施形態は、下記の通りである：
セッションの数は、患者の放射線分および歯の動揺度を判定する臨床検査に続いて、歯医者により判定され、各歯列弓構造物に対する６０時間〜最大２００時間の治療まで変化し得る。
【０１５４】
医療装置ソフトウエアは、患者に、ロジスティクス管理責任者のコンピュータにインストールされたソフトウエアを通した歯医者の推奨が、初期時間の電磁気療法の医療付与数で実施されるまで、ロック状態である発生器を歯医者により作動させることを可能にする。歯医者は、各個別の患者に対して、訪問時間を決定し、その時点で、歯医者は、必要に応じて、患者の検査に基づいて、時間外の電磁気療法を決定するか、または患者は、発生器を返さなければならない。セッションの時間は、２時間であり、再生に供された歯列弓の各々に対して、その間に１週間〜２日に３回のセッションが推奨される。
下記に、発明者の研究からの、かついくつかの臨床研究者にお願いしたルーマニアおよび国外からのいくつかの臨床事例を示そう。
【０１５５】
歯周病学における本発明によるキットにより放出されたＥＭＦの作用
１．  患者Ｓ．Ｂ．は、診療所で、３．５の歯で急性疼痛および動揺度を示した。歯周の厳密な調査により、近心面上に７ｍｍおよび前歯に５ｍｍの歯周ポケットの存在を示した。患者は、先に説明された手順で適用され、第１の段階における上顎部の修復のために、４分円２および３において合計６０回のセッション−４分円３に対して３０回のセッション、および４分円２に対して３０回のセッションの適用（ＣＥＭ）が推奨される。
【０１５６】
初期放射線画像が図２９に示されている。
患者は、最初に３に対する四角において、次に、推奨した残りの歯に対して、金属−セラミック修復、およびＣＥＭ段階への曝露を選択した。提案された治療計画を適用した際の初期および中間の状況は、各事例の進行の記述および記録について特別に生成された、コンピュータプログラムに登録された。
【０１５７】
グラフは、軸上に、治療される歯の前庭部および口腔面で測定された、歯肉退縮の程度、動揺度の程度、および歯周の腫れの深度を記録する。
【０１５８】
患者は、未だ、治療プロセスにいる。３０回のセッションがレベル３．５に適用された後、歯周病変は、前近心および遠因の両方で、２ｍｍの歯周の腫れの減少を示し、放射線画像は、新たな骨梁の出現を通じた骨の子密度化および３．５に対する歯周の歯の空間の減少を示した。
【０１５９】
図３０は、提案された部分的な治療計画、すなわち、４分円２および３における補綴修復の適用および示されている歯の３．５に対する３０回のセッションの適用（ＥＭＦ）後の放射線画像である。
【０１６０】
ここでは３．５のＶおよびＬ面の測定を強調した、治療の進行のグラフの画像は、図３０に示される。
【０１６１】
２．  ５５歳の患者Ｍ．Ｌ．は、診療所で、４．７の歯で急性疼痛および高動揺度を示した。臨床検査により、前近心に７ｍｍの歯周ポケットの存在および等級１の動揺度が示された。放射線検査により、この歯周ポケットの存在が確認された。患者は、３０回のセッションで離間領域におけるＣＥＭへの曝露のための治療を推奨された。
【０１６２】
初期放射線画像は、図３１に図示されている。
図３２に図示されている、治療後の驚くべき放射線画像は、骨の高密度化を識別する。臨床歯周組織滴定は、３．５ｍｍの歯周ポケットの減少を示し、動揺度の程度は、０に向かって有意に減少した。
【０１６３】
３．  ４５歳の患者は、インプラントの定型制御のために診療所に来院した。臨床検査により、２．６に対する触診で歯肉粘膜の出血が示された。放射線検査では、目盛り領域２から骨インプラントの無線透明度が改善したことに注目した。治療計画として、厳密なクリーニングおよびＣＥＭへの曝露が推奨される。
【０１６４】
初期放射線画像は、図３３に図示されている。
３０回のセッション後の放射線画像は、図３４に提示されている。垂直方向に小さい骨を有するインプラント周囲の空間の低下が観察される。特定の粘膜塩の臨床兆候は、微細であった。患者は、予防特性を有する６か月後のＣＥＭ曝露のミーティングを再開することを推奨された。
【０１６５】
歯内療法における本発明によるキットにより放出されたＣＥＭの作用
本発明によるＣＥＭにより送達された歯科用キットのより巧みな作用を図示するために、２０１４年にブカレストのＴｉｔｕ  Ｍａｉｏｒｅｓｃｕ大学の歯学部で行われた臨床試験を下記の断片に提示する。
【０１６６】
医学的見地から、慢性根尖膿瘍の存在は、体全体に対する危険を表し、疾患の発生を引き起こす。大部分の事例において、慢性歯根尖を示す患者は、損傷による天然肉芽腫を罹患しただけでは、歯医者に来ない。
【０１６７】
慢性根尖膿瘍は、防腐剤および水酸化カルシウムの連続適用により保存治療または外科手術治療のいずれかを必要とする。水酸化カルシウムおよび防腐剤による保存治療を適用することによっては、長期の治療の成功率または失敗率を予測することができない。
【０１６８】
歯科用キットは、歯根尖周囲病変の治療において使用される医療装置であり、最小１５回のセッションに対する、マウスガードＡまたはＢまたは全アプリケータＦに配置されたアプリケータＥから放出される低周波数電磁場の適用で構成される。それは、無痛治療であり、予防的な骨の再生および歯肉のために使用される、骨および象牙質の深度、歯髄の幹細胞刺激である。この工程は、骨の治療および心尖部の病変の再吸収に適応される。
【０１６９】
材料および方法
歯は、２．１であり、これは、定型チェック中に診断された、直径１．５ｍｍの心尖部の肉芽腫を示している。歯は、機械的および化学的特性によりチャネル内で治療され、その後、本発明による歯科用キットによる治療が適用された。本発明による歯科用キットを使用する前に、任意の微生物活動を最小化することは非常に重要である。ＣＥＭ曝露は、セッション当たり１２０分の１５回の連続セッションで行われ、その後、歯内の閉塞を行った。治療の進行は、放射線検査へと進んだ。
【０１７０】
結果
アプリケータＥにより発生した低周波数のパルス電磁場は、骨芽細胞を刺激し、破骨細胞を抑制し、結果として、根尖周囲の完全な治癒を生じた。新たな骨組織は、同じ態様および感触、ならびに近傍からの放射性物質の健康な骨組織を有する。
【０１７１】
歯科用キットによる治療は、針による痛みがなく、根尖周囲の治癒がより迅速に生じる。治療中に、患者は、顎関節ＴＭＪの病変の嚥下において、不快感または疼痛の兆候を示さなかった。歯科用キットは、使用が容易で安全であり、適切に使用すれば危険ではない。
【０１７２】
研究でその事例が提示された患者は、最近、我々に、一年前に実施された治療の進行を追跡するためのプログラム内で行われた新たな放射線を提供した。根尖周囲領域は、完全に治癒しており、いかなる再発もなかった。
【０１７３】
２．  ３８歳の患者Ｉ．Ｄ．は、目盛り１からの補綴機能回復のために、診療所に来院した。初期放射線検査により、１．３〜１．４の歯に対する根尖周囲の損傷の存在が明らかになった。補綴機能回復のために、迅速および完全な治癒のために、将来の支持ブリッジの要素から構成される全ての歯を完全かつ正しくＣＥＭに曝露することにより補完するために、歯内の再治療が推奨された。
【０１７４】
患者は、提案された治療に同意し、我々は、歯内治療を再度行った。既存の心尖部の病変の治癒の良好な進行に基づく歯科用キットおよびセッションと共に、金属−セラミックブリッジを通じた形態機能的回復が行われた。
【０１７５】
３）歯肉および骨移植片を有する患者に対する、本発明による歯科用キットによる作用ＣＥＭ：
初期放射線画像は、図３８に図示されている。
ＣＥＭ曝露は、３０回未満でないミーティングの初期数において、各々、２時間のミーティングで実施され、その間、患者は、会話、飲食ができないが、自宅で快適に単純な活動を行うことができる。ミーティングは、治療の最大効率のために毎日実施されるか、またはそれらの間に７日を超えない間隔で行うことが推奨される。
【０１７６】
臨床事例  患者は、外科手術で除去され、正常な状態下では再生されない、非常に大きい骨欠損を生成する、下顎の嚢胞を示している。
【０１７７】
２か月間毎日の電磁場の曝露による患者の治療が推奨される。
【０１７８】
治療後の放射線画像は、図３９に見られ、外科手術後の欠損の領域内の骨量の全再建を通じて治癒している。臨床統合が注目され、術後期間中に欠損を閉塞するために、移植片のない歯肉が適用されている。
【図１ａ】
2018533449.tif 000003
【図１ｂ】
2018533449.tif 000004
【図２】
2018533449.tif 000005
【図３ａ】
2018533449.tif 000006
【図３ｂ】
2018533449.tif 000007
【図４】
2018533449.tif 000008
【図５】
2018533449.tif 000009
【図６】
2018533449.tif 000010
【図７】
2018533449.tif 000011
【図８】
2018533449.tif 000012
【図９】
2018533449.tif 000013
【図１０】
2018533449.tif 000014
【図１１ａ】
2018533449.tif 000015
【図１１ｂ】
2018533449.tif 000016
【図１２】
2018533449.tif 000017
【図１３】
2018533449.tif 000018
【図１４】
2018533449.tif 000019
【図１５ａ】
2018533449.tif 000020
【図１５ｂ】
2018533449.tif 000021
【図１６】
2018533449.tif 000022
【図１７】
2018533449.tif 000023
【図１８】
2018533449.tif 000024
【図１９】
2018533449.tif 000025
【図２０】
2018533449.tif 000026
【図２１ａ】
2018533449.tif 000027
【図２１ｂ】
2018533449.tif 000028
【図２２】
2018533449.tif 000029
【図２３】
2018533449.tif 000030
【図２４】
2018533449.tif 000031
【図２５】
2018533449.tif 000032
【図２６】
2018533449.tif 000033
【図２７】
2018533449.tif 000034
【図２８】
2018533449.tif 000035
【図２９】
2018533449.tif 000036
【図３０】
2018533449.tif 000037
【図３１】
2018533449.tif 000038
【図３２】
2018533449.tif 000039
【図３３】
2018533449.tif 000040
【図３４】
2018533449.tif 000041
【図３５】
2018533449.tif 000042
【図３６】
2018533449.tif 000043
【図３７】
2018533449.tif 000044
【図３８】
2018533449.tif 000045
【図３９】
2018533449.tif 000046
【手続補正書】
【提出日】平成30年5月1日(2018.5.1)
【手続補正１】
【補正対象書類名】明細書
【補正対象項目名】全文
【補正方法】変更
【補正の内容】
【発明の詳細な説明】
【技術分野】
【０００１】
本発明は、インプラントの挿入により罹患した組織を再生し、それによりその骨統合を増大するためだけでなく、歯周炎等の口腔顎顔面領域によるいくつかの疾患を治療するためにも使用される、歯科用キットに関する。
【背景技術】
【０００２】
整形外科手術の多くの多様な磁場において、骨折した骨および損傷を受けた組織の治癒、ならびにインプラントの生物学的統合の期間の短縮は、決定的に重要である。
【０００３】
インプラントにより、または別様に、罹患した組織および骨構造の再吸収は、時間を要する継続的なプロセスである。その理由は、局部血液の微小循環の低下であり、例えば、歯科の特定の磁場において、歯の動揺を生じるためである。組織統合のレベルは、第１に、外科手術による外傷の領域内の新規細胞の進行速度に依存する。これらの細胞の流れが大きい場合、領域の迅速な血行再建が生成され、細胞は、インプラント材料上で生存することができる。プロテオグリカンのレベルは、減少され得、骨とインプラントとの間の直接的な接触の比率は、それに比例して増加するだろう。通常、死滅細胞は、直ちに、新規の前駆細胞と置換され、かかる領域の特定の特徴に従って、骨芽細胞、セメント芽細胞等に変換される。
【０００４】
インプラントの生物学的統合を改善するために、種々の技術的な医療的解決法が開発されている。多孔性チタン、酸化ジルコニウム、チタンのジルコニウムとの合金から製造された構成要素からなるインプラントを処理する際に使用することが、生体適合性を改善するためのわずかに知られている解決法である。関連した応用分野および懸け離れた応用分野の両方における継続的な調査および開発は、細胞の再生におけるさらなる改善の開かれた驚くべき方法をもたらす。
【０００５】
１９５２年に、ミュンヘンのＦａｃｕｌｔｙ  ｏｆ  Ｓｃｉｅｎｃｅの医師Ｗｉｎｆｒｉｅｄ  Ｏｔｔｏ  Ｓｃｈｕｍａｎｎは、地表面と電離層との間に構成された地上空間が、導波管として、同時に共鳴箱として機能するという理論の実証に成功した。この空間の周波数スペクトルは、およそ６〜５０Ｈｚの範囲であり、７．８３Ｈｚの主要平均値を有し、地球上の生命がこの空間内に発生しているため、我々が生命体と呼ぶ全ては、この周波数に適合されている。生命体の生体機能は、この周波数に長期にわたって供されないと悪化する。これは、宇宙飛行士の身体が、余分な−地上の飛行中に、歯周病および骨粗しょう症等の重要な擾乱を経験する理由を説明している。これらの症状は、宇宙船上で７．８３Ｈｚの周波数を人工的に発生させることにより、少なくとも部分的に防止されている。各生命体が機能するために不可欠な基本的な周波数に加えて、内臓器官およびそれらを構成する細胞が、他の周波数であって、それらのうちのいくつかが、病変を被ったとき、または一定の疾患を患ったときに、それらの修復に不可欠である、他の周波数に対しても好ましい反応をすることを科学者らは発見した。
【０００６】
さらに、Ｊａｍｅｓ  Ｏｓｃｈｍａｎは、任意の生命体内で継続する各正常または病理学的事象が、かかる生命体により発生した電磁場の改変を発生させることを実証した。これらの原則に基づいて、心臓、脳活動を監視するためか、または排卵期を精密に判定するための装置が構築された。Ｏｓｃｈｍａｎはまた、筋肉活動が、未分化の間葉系細胞の誘引から始まる、細胞の再生を刺激する電磁インパルスを発生させ、外科手術により生じた病変等のいずれかの疾患が、組織外傷の領域における磁場の改変を判定することを実証した。換言すると、隣接する組織の磁気「抵抗」の増加により、毛細血管の数の改変が達成される。この増加はまた、Ｓｃｈｕｍｍａｎの磁気周波数および生体細胞の揺動から生じる正常な再生磁場を阻害または防止する任意の局部金属インプラントにより判定される。上に提示された態様から、領域内に現生する歯石、病原菌、ならびに任意の金属インプラントの挿入に起因する組織の創傷に起因する領域内の磁気抵抗の増加により妨げられたインプラントの生物積分可能性は、それにもかかわらず、再生磁場を正常値にもたらすことにより加速され得るという結論を引き出すことができる。
【０００７】
ＳｉｓｋｅｎおよびＷａｌｋｅｒは、２Ｈｚ、２５Ｈｚ、および５０Ｈｚの周波数が、外科手術手技後に感覚麻痺が生じた場合にインプラント学において有用である、神経の再生を刺激することを実証した。ＳｉｓｋｅｎおよびＷａｌｋｅｒは、７Ｈｚの周波数が、骨の再生を刺激し、１０Ｈｚの周波数が、例えば、歯の動揺度を低下させるための歯周病学において有用である、靱帯の再生を刺激することも実証した。ＳｉｓｋｅｎおよびＷａｌｋｅｒは、１５Ｈｚ、２０Ｈｚ、および７２Ｈｚの周波数が、毛細血管の再構成を刺激し、この作用が、骨または軟組織の移植片に関わる任意の外科手術的介入後に必要となることも実証した。
【０００８】
Ｈｅｒｂｅｒｔ  Ｆｒａｃｈｌｉｃｈは、組織または器官を形成する細胞の組み立てが、かかる器官の生理機能を制御する特定の周波数を有することを実証した。多数の細胞が罹患した場合、周波数をもはや放出することができず、疾患または機能不全が生じる。
【０００９】
上の記載は、健康な器官がその周辺領域の健康の維持に寄与し、罹病器官はこれをもはや行うことができず、この状態を治療するために好適なステップをとるべきであることを示している。これらの手段を特に口腔内で適用しなければならないとき、歯石組成物内に現生する病原菌および無機物が、それら自体を石化するために、再生磁場強度から「盗む」ため、自然な再生磁場が減少される点に注意しなければならない。磁気振動による治癒の現象は、約１０−９〜１０−１０テスラの磁気誘導による、低振幅の磁場で生じることが知られている。
【００１０】
インプラントおよびその骨統合の存在により罹患した組織の回復を加速させるためだけでなく、特に、骨および歯肉細胞の異常繁殖に対する歯の治療において使用される口腔内の好ましくは７．６９２Ｈｚによる周波数電磁場、および０．７５ｍＴの電磁放射線を発生させるための装置を組み込む、歯周炎等の口腔顎顔面領域による疾患の治療のためにも、電磁場を発生させる装置を備える、歯科用キットが知られている。本装置は、極度に低い周波数の電磁場発生の回路からなり、口腔内の極度に低い周波数、および正弦波電流の極度に低い周波数の電磁場の発生のための局部適用装置と接続され、電磁場を発生させる回路は、集積回路型フィルタバターワースから換算周波数で得られる集積回路を通して連続的に分割される、初期周波数の矩形信号を高精度で発生させる水晶発振器から構成され、そのステップごとに０．２５ｍＴ〜２ｍＴの領域内に電流を提供するために、矩形信号が、８つのステップで信号減衰器から正弦波信号へと変換され、結果として、電磁場の適用局部エネルギーのために装置のいくつかの極部間で得られた、定電流源からの誘導磁場の０．２５ｍＴの増加を生じ、口腔内で電磁場を適用するための装置は、その端間に調節可能な開口を有するパ−マロイから製造されたピンセットであり、端は、ピンセットの中央に配置された関心領域に、極度に低い周波数の電磁場発生により課された規模および形状の磁場を発生させるコイルを適用する、いくつかの極部をそれらの終部内に有する（２０１４年０３月３０日付の特許第ＲＯ１２８８０５Ｂ１号）。
【００１１】
かかる局部適用のための装置からなるこれらのキットの欠点は、特に、高い感受性を有する患者により支持されることが比較的困難であり、互いに隣接する１つ、２つ、または３つの歯にしか適用することができず、治療時間を増加させることである。
【００１２】
例えば、国際特許出願第ＷＯ２００６  ００１６４４号におけるように、歯肉に対する血液循環を増加させるために低周波数を使用することは、歯科分野でよく知られている。この出願に記載されている装置は、ケーブルによりシリコン電極ホルダーに接続された低周波数発生器からなる。シリコン電極は、血液循環を強化し、疼痛を軽減するのに必要とされる領域内の歯肉に適用される。
【００１３】
この解決法の主要な欠点は、国際出願第ＷＯ２００６  ００１６４４号を変動させることなく、定電流の低周波数を適用することにより、改変されない状態を維持するべきである磁場を適用する技術が、比較的長期間にわたって適用することができないことである。
【００１４】
比較可能な電磁場ＥＬＦの別の例は、歯の位置異常の矯正のためのＥＬＦの使用を記載している、特許第ＣＡ１２０２８０４号に対する適用に提示されている。この技術により得られる効果は、口腔領域内に非常に低い周波数の磁場を発生させる、永久磁石、電磁石、または電磁気誘導のコイルの適用を通じて、上および下顎部の軟組織の再建を助ける。ＥＬＦの周波数範囲は、再生の流れを生成するために、いくつかの隣接する電解質と相互作用する下顎の運動により生成される。
【００１５】
この技術の欠点は、得られた電流ＥＬＦの値が、一定でない場合があり、治療の要件に従って調節することができず、人の活動に依存することである。
【００１６】
特許出願第ＪＰ２００１  ０２６５２９号は、歯肉のリンパ機能を刺激し、歯周病を予防および治療するために、歯石または歯肉をクリーニングするための低周波数発生器および高周波数発生器が装備された機械を提示している。
【００１７】
この発明の主要な欠点は、これもまた、この発明の装置および方法の所望の効果とは対照的に、低周波数および高周波数を長時間適用することができず、本装置が、歯のみをクリーニングし、歯肉の治療のために使用することができないことである。
【００１８】
したがって、当該技術分野で知られている装置は、時には地上の磁力に寄与するものの有意に下回る振幅および強度を有する非常に低い周波数を発生させる。しかしながら、かかる電磁場は、電流成分を含み、同じ理由の揺動を示すため、これらの歯列矯正器具の細胞レベルでの効果は、時間内に期待されるものではなく、患者により支持されるのが比較的困難であり、特に、高い感受性を有する患者により支持されることが比較的困難であり、互いに隣接する１つ、２つ、または３つの歯にのみの適用しか可能にせず、治療時間を増加させる。
【００１９】
国際特許出願第ＷＯ２０１２／０９３２７７Ａ１号の要約にその結果が提示されている、歯肉細胞の培養物についての従来の調査は、極度に低い周波数−ＥＬＦ−の電磁場発生、および動物の細胞がこの磁場に供されることが、細胞に対する有意な再生効果を生成することを示した。歯肉細胞の培養物をペトリ皿内に配置し、ペトリ皿をヘルムホルツ型構造物内に配置したときに、種々のインパルスおよび強度を有する電磁場に種々の時間供された。
【００２０】
この国際出願における電磁場の発生のために使用されている装置は、電磁パルスを発生させるための２つのチャネルを有し、各々が、２つの同期発振器からなり、各１つが周波数ＥＬＦを発生し、かつ交互に機能し、その結果、チャネルからの１つのみの発振器が、周期性に従って特定の時間に動作する。加えて、この装置はまた、パイロット発振器の選択の周波数、および発振器のロック動作を交互に入れ替え、２つの制御信号を介して各選択されたチャネルにより放出された周波数を変更する、パイロット発振器により制御された回路と組み合わされた、選択されたチャネルにおける発振器の周波数を有する電磁場を発生させる最終回路および誘導コイルを含む。歯列矯正器具の動作中に、不利な形で、電流は、一定状態を維持しなかったため、適用された同じ周波数範囲内の変動および揺動を提示し、適用された磁場は、細胞組織に適用されている限り、妨害される。
【００２１】
治療／処置の種々の治癒技術を口腔内で適用するために、マウスガードが使用されているが、現在、口腔内で電磁場を適用するために使用されるマウスガードの構造は知られていない。
【００２２】
例えば、歯ぎしりの診断、定量化、および／または管理について、２０１４年０７月１７日付、国際特許出願第ＷＯ２０１４１１０５４８Ａ１において提示された、小型のマウスガードが知られている。実現化の一例によると、マウスガードトレイは、多数の圧力センサと、センサから処理ユニットにデ−タを供給するように構成された処理回路とを含む。センサアセンブリはまた、温度センサ、ｐＨ、および／または運動センサを含み得る。プロセッサは、例えば、スマ−トフォンまたはコンピュータであり得る。
【発明の概要】
【００２３】
本発明による歯科用キットにより解決される技術的問題は、同時にいくつかの領域において、または上顎の全体的な長さにおいて、均一の電磁場を確保し、黙示的に、治療時間を減少させることにあり、インプラントを実行するか、または実行しない、口腔内に発生した電磁場の不在下で、治療を続けることができ、患者は、電磁場の存在下で、治療中に動いてもよい。
【００２４】
本歯科用キットは、マウスガードであって、それらのうちの第１の外側マウスガードが３つの作業点を有し、第２の外側マウスガードが２つの作業点を有する、２つの外側マウスガードと、複数の作業点を有する外側マウスガードと、ポリマーからなる材料と、電磁場を発生させる装置であって、装置が、マウスガードの内側で、０．７〜０．９ｍＴの範囲の誘導磁場を有し、電磁場に供される領域内で、同じ点の周りに１ｃｍの距離で、かつ２００ｍＡの電流により生成された、歯根またはインプラントが位置付けられる領域内で可能な限り高い体積で、７〜８Ｈｚの範囲、好ましくは、７．６９Ｈｚの周波数を有する均一磁場を発生させる、装置と、を備え、磁場線が、標的組織上で直角に交わり、
全弓構造物上で機能する複数の作業点を有するマウスガードが、金属湾曲本体からなり、金属湾曲本体が、顎部の解剖学的形状に従い、湾曲外側、およびそれぞれ内側の、互いに平行な２つの壁を備え、それらの間で、上壁の上顎部または下顎部上の、使用に応じて上部または下部に接合され、本体が、前面の、銅線から製造されたコイルの金属コアを形成し、コイルが、前面の２つの導電体を有し、それらを通じて、外側で、前記装置との電気接続が行われ、コイルが、ポリエチレンまたは材料から製造された層により被覆されており、
材料が、その後に顎部の解剖学的形状に従う個別化内側マウスガードの本体がある、サンドイッチの形態であり、
装置が、２００ｍＡの出力電流、２４Ｖの最大出力電圧のレベルを有する、２Ｈｚ〜２５Ｈｚの範囲の正弦波低周波数電流の発生器であり、かつマイクロプロセッサであって、同じ点の周りに１ｃｍの距離で、歯根インプラントが位置付けられるであろう領域内のより大きい体積で、０．７５ｍＴ〜０．９ｍＴの、均一の誘導強度の電磁場を発生させる低周波数電流の信号を発生させる、マイクロプロセッサと、ダイレクトデジタルシンセサイザであって、プロセッサにより導かれた高精度および安定性の２〜５０Ｈｚの変動を精密に有する、正弦波信号を直接発生させるように適合される、ダイレクトデジタルシンセサイザと、の周りに構築され、装置が、処理ブロック、シンセサイザ、電流反応を有するデジタル増幅器ブロック、音声増幅器ブロック、実時間に対するクロックブロック、メモリブロック、オン／オフスイッチブロック、および電源を含むことにより、上に述べられている欠点を取り消す。
【００２５】
本発明の一態様によると、個別化マウスガードの本体が、口腔の歯の前に配置された、いくつかのソケットを有し、それら自体の前にいずれかの欠損歯がある場合、自由空間を囲む２つのソケット間に、歯肉に接触するブラントが配置される。
【００２６】
本発明の一態様によると、個別化マウスが、３つもしくは２つの作業点を有するマウスガードの、または必要に応じて、複数の作業点を有するマウスガードの壁の各々に属する、基礎壁のうちの１つの接着により製造および固定される。
【００２７】
本発明の一態様によると、サンドイッチの形態での材料は、ポリマーからなり、それに、無機物粒体が、単独または混合物で、トパーズ、ヒスイ、炭酸カルシウム、オクタカルシウムホスフェート、ケイ酸、水晶振動子、塩もしくは地山、火山岩、動物の角の粉塵、または酸化ジルコニウムの粒体からなる、好ましくは天然の結晶構造もしくは物質と共に埋め込まれ、粒子のサイズが、２０〜１５０ｎｍである。
【００２８】
本発明の一態様によると、かかる本体が、好ましくはポリ乳酸由来の３Ｄプリンタにより製造され、ガイド部を補強する、いくつかの外側突起部間に、８５．６ｍｍの長さならびに基礎壁のプロファイルヘッド部およびプロファイル面の長さを有し、外側壁が、好ましくは６５．６ｍｍの値を有する。
【００２９】
本発明の一態様によると、かかる本体が、酸化ジルコニウムから製造される。
【００３０】
本発明の一態様によると、コイルが、翼部の継続において、磁場が骨の深度において均一である体積を判定するために、互いに平行な翼部の外縁において、かつ電流が４００ｍＡまで引き上げられたときに、均一の誘導電磁場であるように、隣接する線において均一の有線である。
【００３１】
本発明の一態様によると、マウスガードが、共に全体的な顎部を被覆する、２つの分離した半マウスガードから製造され、各々が、半弓状であり得、各半マウスガードが、それぞれ、前面のコイル、およびそれぞれ、２つの前面導電体を有し、それを通じて、装置と電気接続により実施され、よって、各半マウスガードまたは両方の半マウスガードにより発生した電磁場が、治療される全体的な領域上で、８％未満の差異を有する、高い均一性を有する。
【００３２】
本発明の一態様によると、マイクロプロセッサ、表示装置、およびいくつかの接続ジャックからなる処理ブロックが、マイクロプロセッサを通して、下記の信号、すなわち、
シリアル通信のためのクロック信号、
シリアル通信のためのデ−タ信号、
通信中に表示装置を選択する、ピンｎｒ３７に対する信号、
通信中にメモリを選択する信号、
読み取り−書き込みメモリを選択する信号、
書き込み信号を選択する信号、
通信ｉ２Ｃのためのデータベース信号、
Ｉ２Ｃ通信のためのクロック信号、
自動メンテナンスのオンスイッチ（１でアクティブ）のスイッチ信号、
指令出力電流レベルのための発生器に対する可変フィルファクタによる矩形の信号、
シンセサイザのためのクロック信号、
間欠的なＬＥＤの点灯を通したフラグ動作による信号、
メモリからの、マイクロプロセッサのピン３０から出た発生器によりフィルタリングされた、読み取り信号、
マイクロプロセッサのピン１から生じる光バックライト表示装置への信号、
マイクロプロセッサ内の入力信号、
交互の形態で生じ、マイクロプロセッサ内で数値フィルタリングされ、かつ測定された、出力電流の測定信号、
電池監視のために電源電圧から分割された定電圧の信号、
装置をオフにするオン／オフスイッチにより与えられる信号、
電流測定のための基準電圧の信号
を発生させる。
【００３３】
本発明の一態様によると、シンセサイザが、電流反応を組み込む変調器と共に製造され、信号を制限する、正弦波信号発生器を含む。
【００３４】
本発明の一態様によると、電流反応を有するデジタル増幅器ブロックが、スイッチクラスＤの線形増幅器を含む。
【００３５】
本発明の一態様によると、音声増幅器ブロックが、低電圧の電力トポロジーＢＴＬ内の低電圧の増幅器である。
【００３６】
本発明の一態様によると、メモリブロックが、治療の音声ファイルおよびメモリ履歴ならびに任意の情報をアップロードするための１０２４キロバイトのメモリを有する集積回路を有する。
【００３７】
本発明による歯科用キットは、下記の利点、すなわち、
同時に顎部の異なる領域において、またはその全体的な長さにおいて、一定の均一の電磁場を確保し、治療時間を減少させること、
口腔顎顔面領域内の細胞レベルでの組織の活性化の継続を可能にすると同時に、マウスガードが装置内に差し込まれないこと、
患者の治療中に、患者の一部に対するいかなる労力を費やすことなく、口腔装置が、良好に支持され、個別化されること、
比較的単純な構造、
動作の安全性
を提示する。
【００３８】
下記において、以下を意味する、図１〜３９に関して本発明により歯科用キットを生成する３つの型がある。
【図面の簡単な説明】
【００３９】
【図１ａ】図１ａは、本発明の実現化の２つの例による歯科用キットのブロック図である。
【図１ｂ】図１ｂは、本発明の実現化の２つの例による歯科用キットのブロック図である。
【図２】図２は、本発明による、３つの作業点を有するマウスガードの平面図である。
【図３ａ】図３ａは、本発明による、３つの作業点を有するマウスガードの斜視での底面図である。
【図３ｂ】図３ｂは、本発明による、２つの作業点を有するマウスガードの斜視での底面図である。
【図４】図４は、ポリマーから製造された層を有する被覆マウスガードの底面図である。
【図５】図５は、アクティブサブアセンブリのコア部の平面図である。
【図６】図６は、アクティブサブアセンブリの極片の斜視での図である。
【図７】図７は、アクティブサブアセンブリのコイルの側面からの図である。
【図８】図８は、コイルの蓋の側面からの図である。
【図９】図９は、アクティブサブアセンブリを通して図７に描写された、Ａ−Ａ平面に従った断面である。
【図１０】図１０は、極性コイルが固定された極片を通して長手方向平面に従った断面である。
【図１１ａ】図１１ａは、個別化マウスガードの斜視平面図である。
【図１１ｂ】図１１ｂは、個別化マウスガードの材料の図である。
【図１２】図１２は、複数の作業点を有するマウスガードの平面図である。
【図１３】図１３は、別の実施形態における、複数の作業点を有するマウスガードによる平面図である。
【図１４】図１４は、別の実施形態における、複数の作業点を有するマウスガードによる平面図である。
【図１５ａ】図１５ａは、実現化のさらなる例である、２つの半マウスガードからなるマウスガードである。
【図１５ｂ】図１５ｂは、実現化の別の例による、３つの区分からなるマウスガードである。
【図１６】図１６は、図１３からの光景であるマウスガードの後部の図である。
【図１７】図１７は、図１４に提示されている正面の光景の図である。
【図１８】図１８は、個別化マウスガードの図である。
【図１９】図１９は、実現化の別の例による、個別化マウスガードの斜視での図である。
【図２０】図２０は、実現化の別の例による、個別化マウスガードの斜視での図である。
【図２１ａ】図２１ａは、実現化の別の例による、個別化マウスガードの斜視での図である。
【図２１ｂ】図２１ｂは、実現化の別の例による、個別化マウスガードの斜視での図である。
【図２２】図２２は、歯科用キットの実現化の一例による、電磁場を発生させるための装置のブロック図である。
【図２３】図２３は、歯科用キットの実現化の一例による、磁場を発生させるための装置の詳細な電子方式である。
【図２４】図２４は、歯科用キットの実現化の一例による、電磁場を発生させるための処理装置の電子方式である。
【図２５】図２５は、歯科用キットの実現化の一例による、電磁場を発生させるための正弦波発生器装置の電子方式である。
【図２６】図２６は、歯科用キットの実現化の一例による、増幅器デジタル電磁場発生装置の電子方式である。
【図２７】図２７は、歯科用キットの実現化の一例による、電磁場を発生させるための音声増幅装置の電子方式である。
【図２８】図２８は、歯科用キットの実現化の一例による、電磁場を発生させるための実時間クロックブロックの電子方式である。
【図２９】図２９は、歯科用キットの実現化の一例による、電磁場を発生させるブロック図メモリの電子方式である。
【図３０】図３０は、歯科用キットの実現化の一例による、電磁場を発生させるための図の開始／停止ブロック装置の電子方式である。
【図３１】図３１は、歯科用キットの実現化の一例による、電磁場を発生させるための電力装置の電子方式である。
【図３２】図３２は、本発明による歯科用キットを使用した治療の前後の患者について製造された放射線画像である。
【図３３】図３３は、本発明による歯科用キットを使用した治療の前後の患者について製造された放射線画像である。
【図３４】図３４は、本発明による歯科用キットを使用した治療の前後の患者について製造された放射線画像である。
【図３５】図３５は、本発明による歯科用キットを使用した治療の前後の患者について製造された放射線画像である。
【図３６】図３６は、本発明による歯科用キットを使用した治療の前後の患者について製造された放射線画像である。
【図３７】図３７は、本発明による歯科用キットを使用した治療の前後の患者について製造された放射線画像である。
【図３８】図３８は、本発明による歯科用キットを使用した治療の前後の患者について製造された放射線画像である。
【図３９】図３９は、本発明による歯科用キットを使用した治療の前後の患者について製造された放射線画像である。
【発明を実施するための形態】
【００４０】
本発明によると、歯科用キットは、３つの作業点を有するマウスガードＡと、２つの作業点を有するマウスガードＢと、複数の作業点を有するマウスガードＦと、ポリマーからなる材料１２と、箱（装飾的でない）内に配置された電磁場を発生させる装置Ｄとを備える。装置ＤおよびアプリケータＥからなるアセンブリは、マウスガードＡまたはＢまたはＦの内側に、０．７〜０．９ｍＴの範囲の誘導磁場を有し、電磁場に供される領域内で、同じ点の周りに１ｃｍの距離で、２００ｍＡの電流により生成された、歯根またはインプラントが位置付けられる領域において可能な限り高い体積で、７〜８Ｈｚの範囲、好ましくは７．６９Ｈｚの周波数を有する、均一磁場が発生するように製造され、磁場線は、標的組織上で直角に交わる。
【００４１】
マウスガードＡは、湾曲本体１からなり、湾曲本体１が、顎部の解剖学的形状に従い、湾曲外側、およびそれぞれ、湾曲前面内側の、２つの壁ａおよびｂを備え、それらの間で、基礎壁ｅを有するいくつかの下位ヘッド部ｃおよびｄに接合する。
【００４２】
外側壁ａは、両側面で開口する、いくつかの細長い空間ｉ、ｊ、およびｋを区切る、外側、側面、およびそれぞれ、末端の、３対のガイド部ｆ、ｇ、およびｈを有する。ガイド部ｆ、ｇ、およびｈの短い外側壁ｌ、ｍ、およびｎは、内部が平面である。
【００４３】
内側壁ｂは、空間ｉ、ｊ、およびｋと一緒になって、３つの作業点を形成する、両端で開口する、いくつかの細長い空間ｒ、ｓ、およびｔを区切る、内側、側面、およびそれぞれ前面の、他の３対のガイド部ｏ、ｐ、およびｑを有する。ガイド部ｏ、ｐ、およびｑの外側の短い壁ｕ、ｖ、およびｗは、内部が平坦である。
【００４４】
湾曲ＡおよびＢは、それらの間の距離が等しい。
【００４５】
３対のガイド部ｆ、ｇ、およびｈならびにそれぞれｏ、ｐ、およびｑは、いくつかの空間ｉ、ｊ、およびｋ内に、かつ互いに区切られた、他の空間ｒ、ｓ、およびｔ内に、同じ点の周りに１ｃｍの距離で、口腔のそれらの細胞組織の前に位置する領域内で、均一の電磁場を発生させる、３つのアクティブアプリケータＥを装着することを可能にするように、互いに２つずつ平行である。各アプリケータＥは、組成物内に、互いに平行ないくつかのアーム部ｅ’およびｆ’が提供された、片側に開口ｄ’を有し、貫通下孔ｇ’およびｈ’のうちの１つを有する、矩形の形態の極片２を有する。
【００４６】
ｇ’およびｈ’の前のアーム部ｅ’およびｆ’から、リベット３を使用して、前プレート４および蓋５が固定され、それらの間に、リベット３により貫通されたコア部６が配置される。
【００４７】
最初に、蓋５、コア部６、およびプレート４は、リベット７および８の手段により、それらの間で共に接合され、次に、蓋５、コイル６、およびプレ−ト４は、リベット３によりアーム部ｅ’およびｆ’の各々により、共に接合される。
【００４８】
各コア部６の周りで、好ましくは２．５ｃｍの距離がある、好ましくは楕円形状を有する蓋５とプレ−ト４との間に、０．２〜０．４ｍｍの直径を有するエナメル銅線から製造されたコイル９が配置される。コイル９の端部は、好ましくは、スズメッキである、ガラス−Ｔｅｘｔｏｌｉｔｅにより達成された蓋５内に実装された、装飾的でない、いくつかの貫通孔を通して穿孔される。
【００４９】
蓋５は、楕円の形態を有し、好ましくは、２７．０ｍｍの長さ、１２．０ｍｍの高さ、および０．５ｍｍの厚さを有し、リベット７および８を交差した穿孔孔の中心間の距離は、好ましくは、１４．５ｍｍである。
【００５０】
したがって、外側壁ａのガイド部ｆ、ｇ、およびｈの前にならびにそれぞれ、空間ｉ、ｊ、およびｋ内の、ならびにそれぞれ、空間ｒ、ｓ、およびｐ内の、内側壁ｂのガイド部ｏ、ｐ、およびｑの前に、３つのアプリケータＥが配置され、その結果、極片２は、最終的に、１〜２ｍｍの厚さを有する、高極性を有するポリマー、好ましくは、ポリエチレンから製造された、層１０により被覆された、基礎壁ｅの下壁ｉ’に接触する。
【００５１】
極片２は、好ましくは、鋼により実施され、５５ｍｍ、５８ｍｍ、または６１ｍｍの長さのうちの１つ、および１１．４ｍｍの幅を有し得る。必要に応じて、極片２は、１９ｍｍ、２２ｍｍ、２５ｍｍ、または２８ｍｍの開口ｄ’の可能性のうちの１つを有し得、コイル９のアーム部ｅ’およびｆ’の固定後に、１５ｍｍ、１８ｍｍ、２１ｍｍ、または２４ｍｍの可能性を生じる。
【００５２】
本体１が、好ましくはポリ乳酸由来の３Ｄプリンタにより製造され、ガイド部ｆおよびｇを補強する、いくつかの外側突起部ｊ’間に、８５．６ｍｍの長さならびに基礎壁ｅのプロファイルヘッド部ｋ’およびプロファイル面ｌ’の長さを有し、外側壁ｎが、好ましくは６５．６ｍｍの値を有する。
【００５３】
コア部６は、楕円の形状を有し、好ましくは、１８ｍｍの長さ、６．０ｍｍの高さを有し、リベット８、３、および７の貫通された図に記されていない３つの穿孔孔を有し、孔の中心間の距離は、７．２５ｍｍであり、厚さは、１．５ｍｍである。
【００５４】
コイル８は、いくつかの外部湾曲線Ｒ１、およびそれぞれ、Ｒ２を有し、２７．０ｍｍの全長、１２．０ｍｍの高さ、１４．５ｍｍの楕円の中心間の距離、および１．５ｍｍの厚さを有する、楕円形状、好ましくは、いくつかの円天井のヘッド部ｍ’およびｎ’を有する。
【００５５】
壁ＡおよびＢにより境界付けされた空間ｏ’内に、それ自体が知られている方法で、歯科医の処方に従って患者が装着するように、患者の解剖学的特殊性に対する歯科医の働きにより製造された個別化マウスガードＣが、位置付けおよび接着され得る。個別化マウスガードＣは、高極性を有するポリマーからなる材料１２から製造された、上顎部およびそれぞれ下顎部の形状および輪郭を要する本体１１を有し、そのポリマーに、無機物粒体が、単独または混合物で、トパーズ、ヒスイ、炭酸カルシウム、オクタカルシウムホスフェート、ケイ酸、水晶振動子、塩もしくは地山、火山岩、動物の角の粉塵、または酸化ジルコニウムの粒体からなる、好ましくは天然の結晶構造もしくは物質と共に埋め込まれ、これらは、７．６９Ｈｚの強度値を有する、環境保全型の周波数磁気細胞の隣接する歯および／またはインプラントに対する共鳴および局部抵抗、または少なくとも同じ点の領域内での均一の誘導を減少させるように設計されており、粒子径は、２０〜１５０ｎｍである。
【００５６】
本体１１が製造される材料１２を得るために、好ましくは、粒体、酸化ジルコニウムまたは酸化ジルコニウム、および石英を、得られ得る溶融温度で高極性を有するポリマーと混合させた後、ポリエチレン混合物を溶融し、次に冷却および再粒状化し、これらの粒子を金型内で加熱または冷却により圧搾して、所望の形状を得る。さらに、マウスガードＡまたはＢと共に使用するマウスガードＣを使用することによる副作用のリスクを減少するために、これらの粒体を２つ以上のポリマー箔の極性間で加熱圧搾して、材料１２のサンドイッチ型を得る。
【００５７】
本体１は、処理を通じて、最良の方法の酸化ジルコニウムで達成され得、ガイド部ｆ、ｇ、およびそれぞれｈに、かつ３つのサブアセンブリＥが装着されたガイド部ｏ、ｐ、およびｑに嵌合された壁ａおよびｂを有する。
【００５８】
この構造的な実施形態において、個別化マウスガードＣの本体１１は、酸化ジルコニウム粉末中に埋め込まれたポリエチレンから製造されたサンドイッチの形態の材料１２から製造される。
【００５９】
したがって、局部抵抗のより顕著な減少、およびそれに続く、より大きい磁場の共鳴が確実となり、インプラントは、チタンおよび酸化ジルコニウムまたは酸化ジルコニウムから、好ましくは、結晶構造を有する無機物または物資から圧搾された、粉末もしくは粒体の形態で製造される。本事例ではマウスガードＣを使用することにより、たとえ、治療中に患者が動くか、または動く傾向があったとしても、治療中のより良好な安定性が得られる。
【００６０】
口腔内での本発明による歯科用キットの使用中、本体１およびマウスガードＣを口腔内に配置し、適した上部または下部歯肉を被覆した後、インプラントの前に位置する各領域において、チタンおよび／または酸化ジルコニウムのみから製造された構造的な構成要素を有する、少なくとも１つの歯科インプラントが、１つずつ行われ、装置Ｄによるコイル８の端部間の連結が実施される。
【００６１】
マウスガードＡまたはＢまたはＦの使用中の休止において、より多くの細胞をインプラントに移動させるように、口腔内で、別の自由な個別化マウスガードＣのみが適用され得、罹患細胞の回復を生じさせ、インプラントの表面上に達する細胞の形態型および表現型を保持し、ソケット骨内により良好に組み込むのを助ける。
【００６２】
組成物材料１２のこれらの無機物粒体または結晶構造物質は、空間の生体適合性のある電磁波と共鳴する低周波数揺動を発生させる。
【００６３】
マウスガードＢは、湾曲本体１３からなり、湾曲本体１３が、顎部の解剖学的形状に従い、外側、それぞれ内側の、２つの湾曲壁ｎ’およびｍ’を備え、それらの間で、基礎壁ｑを有するいくつかの下位ヘッド部ｏ’およびｐ’で接合される。
【００６４】
外側壁ｎ’は、両端で開口する、いくつかの細長い空間ｔ’およびｕ’を線引きする、外側、側面、末端の、いくつかのガイド部ｒ’およびｓ’を有する。いくつかの短い外側壁ｖ’およびｗ’を有するガイド部ｒ’およびｓ’は、内側が平坦である。
【００６５】
内側壁ｍ’は、空間ｔ’およびｕ’と共に、２つの作業点を形成した、いずれかの端部で開口する、いくつかの他の細長い空間ｚ’’およびａ’’を区切る、内側、側面の、いくつかの他のガイド部ｘ’およびｙ’を有する。ガイド部ｘ’およびｙ’は、内側が平坦ないくつかの短い外側壁ｂ’’およびｃ’’を有する。
【００６６】
本体１３の寸法は、本体１の寸法と同一である。
【００６７】
ガイド部ｒ’およびｓ’ならびにガイド部ｘ’およびｙ’は、アクティブアプリケータＥの対応する空間ｔ’およびｚ’、ならびにそれぞれ、ｕ’およびａ’’内の装着を可能にするように、互いに２つずつ平行である。
【００６８】
本体１３は、加工処理を通じて、好ましくはポリ乳酸由来の、または主に酸化ジルコニウム由来の、３Ｄプリンタにより達成され得る。この最新の構造的な変動において、壁ｍ’および‘ｎ’に、２つのアプリケータＥが装着されたガイド部ｘ’およびｙ’を有する、ガイド部ｓ’およびそれぞれ、ｒ’が提供される。
【００６９】
個別化マウスガードＣは、その製造後、基礎壁ｑ’のアクリル壁等の材料により、空間ｍ’’およびｎ’’の区切られた空間ｈ’内に接着される。
【００７０】
マウスガードＦは、湾曲本体１４からなり、湾曲本体１４が、顎部の解剖学的形状に従い、外側、それぞれ内側の、２つの湾曲壁ｉ’’およびｊ’’を備え、それらの間で、基礎壁ｋ’’による下または上顎部上の、使用に応じて、上部または下部を一体化させる。本体１４は、好ましくは、銅線から製造された、金属または常磁性コイル１５のコア部を構成する。好ましくは、銅線は、０．２〜０．４ｍｍの直径を有し、１４０〜１５０個の多数の線を使用する。
【００７１】
前面のコイル１５は、２つの電気前面導体１６および１７を有し、それらを通じて、装置Ｄとの電気接続が実施される。外側で、コイル１５は、ポリエチレンまたは材料１２から製造された層１８により被覆される。
【００７２】
したがって、装置（Ｄ）により放出された非常に低い周波数の電磁場による生体再活性化治療は、アプリケータ（Ｅ）内に配設された、コイル９または１５を通して行われるだろう。
【００７３】
電磁場アプリケータ（Ｅ）（ＣＥＭ）は、Ｕ字形状を有し、２つの極２間に、再生を必要とする領域を含む。極間の距離は、１５〜２１ｍｍの範囲の適用領域内の弓の厚さに応じて変化可能である。ＣＥＭの均一性を有する深度は、アプリケータの最大長さである。次に、アプリケータＥを、治療を必要とする領域内の各患者に対するマウスガードＡまたはＢの内側に配置および固定する。このように、アプリケータＥが、患者が動かすことができない状態で、所望の領域にわたって厳密に作用することを確保する。
【００７４】
アプリケータＥを支持するマウスガードＡまたはＢを達成するために、石こう由来の作業モデルを成型し、厚さ２ｍｍの熱可塑性箔由来のマウスガードＡまたはＢを製造する、上顎弓の指紋法が必要とされる。アプリケータＥは、治療を必要とする領域上に接合および固定され、かつケーブルを通してＣＥＭの装置Ｄの送信器に接続される。弓上に、同時に口腔の非常に限定された空間に起因して、最大３つの歯のセグメントを含む、２つ（マウスガードＢ）または３つ（マウスガードＡ）のみの、かかるアプリケータＥ等を据え付けることができる。患者は、マウスガードＡまたはＢまたはＦを歯科領域に適用する方法、衛生的にキットを接続させる方法、ＣＥＭへの曝露の数について実践的な指示を受ける。
【００７５】
マウスガードＦは、材料１２により被覆され得るか、もしくは被覆されない場合があり、またはマウスガードＦの使用の開始前に、歯医者により、材料１２からの個別化マウスガードＣが実施され得、その後、マウスガードＣは、壁ｉ’’およびｊ’’に隣接する箔１８により側面で区切られた空間ｌ’’内に配置されるか、または、バンド１９および２０により装着され、次に、壁ｋ’’による粘着により接合される。コイル１５は、加えて、互いに平行な翼部の外縁部内で均一の値を有する、均一の磁場誘導があるように、隣接する線において有線である。
【００７６】
別の実施形態において、マウスガードＦは、全体的な顎部を共に被覆した、２つの分離した半マウスガードＦ１およびＦ２から製造され、各々は、半弓状であり得、各半マウスガードＦ１およびＦ２が、前面のコイル１５’、それぞれ１５’’、装置Ｄとの電気接続により実施される、２つの前面導電体１６’および１７’、およびそれぞれ１６’’および１７’’を有し、よって、各Ｆ１もしくはＦ２またはＦ１およびＦ２の両方により発生した電磁場は、治療される全体的な領域上での差異が８％未満である、高い均一性を有する。
【００７７】
別の実施形態において、マウスガードＦは、歯列弓形状を有するように共に粘着する、３つの区分Ｆ１、Ｆ２、Ｆ３からなる。配線のための支持体が製造される材料は、スズメッキである。
【００７８】
そのように製造されたマウスガードＦのＦ１、Ｆ２、Ｆ３の３つの区分は、
１）外側壁１．１（前庭部）
２）基部１．２
３）内側壁１．３（舌部）
である。
壁は、直角を形成するように、基部上で溶接される。
外側壁１．１の厚さは、１ｍｍであり、可変高さ（１３ｍｍ、１４ｍｍ、１５ｍｍ）である。
基部１．２（受容部領域）は、その結果、ほとんどの歯列弓の寸法（２２ｍｍ×６５ｍｍ）−小、（２５ｍｍ×７０ｍｍ）−中、（２７ｍｍ×７５ｍｍ）−大、を受容部領域内に包含することができるように、０．４０ｍｍの厚さ、可変幅、および長さである。
内側壁１．３は、０．４０ｍｍの厚さ、および可変高さ（１３ｍｍ、１４ｍｍ、１５ｍｍ）を有する。
【００７９】
これらの値を組み合わせて、下記の寸法：Ｒ＝受容部ＬＴ＝壁の長さを有する、一連の９つの個別のマウスガードモデルが製造される。
【００８０】
全体的な板金ブラケットは、シリコーン紙のバンドと共にあり、特殊なガンと共に適用されなければならない。
【００８１】
巻線は、下記の経路に及ぶ、銅φ０．４０ｍｍのラッピング線により行われる。
【００８２】
大きいサイズのマウスガードＦについて、巻線は、自由側からのその中心から前庭壁の外側で始まり、外側で右に継続し、壁の内側で継続し、それが初期開始場所の直ぐ下に達するまで、前庭壁の外側で継続し、次に、巻きプロセス｛（Ｈ１５ｍｍ）の場合約２５回、（Ｈ１４ｍｍ）の場合約２３回、（Ｈ１３ｍｍ）の場合約２０回｝を継続する。受容部領域の外側壁の基部で、先に提示された最後の線に達すると、３３〜３５個の線により、基部（受容部領域）の巻線が開始し、壁１．３の基部の受容領域で巻き取るまで、外側基部１．２上での巻線で継続する。基部１．２の受容領域内での巻線が完了した後、内側壁（舌部）での巻線に切り替わる。それは、｛（Ｈ１５ｍｍ）の場合約２５個の線、（Ｈ１４ｍｍ）の場合約２３個の線、（Ｈ１３ｍｍ）の場合約２０個の線｝での内側壁１．３の巻線である。
【００８３】
この工程は、特に、磁場が最小の非均一性（１０％未満）を有しなければならない受容領域内で、可能な限り均一である、全体的なマウスガードＦ（２つの壁１．１、１．３、および基部１．２）の継続的な巻線に対して、別の層の巻線と共に繰り返されるべきである。
【００８４】
外側壁１．１の頂部の巻線に達すると、そこから巻線が始まり、可能な限り均一に配置された、外側壁１．１｛（（Ｈ１５ｍｍ）の場合約２５個の線、（Ｈ１４ｍｍ）の場合約２３個の線、（Ｈ１３ｍｍ）の場合約２０個の線｝のみからなる第３の層に進む。
【００８５】
中程度のサイズ（Ｒが２５ｍｍであり、ＬＴが７０ｍｍであり、Ｈが１３ｍｍ、１４ｍｍ、１５ｍｍである）のマウスガードＦについて、巻線は、自由側からのその中心から前庭壁の外側で始まり、外側で右に継続し、壁の内側で継続し、初期開始場所の直ぐ下に達するまで、前庭壁の外側で継続し、次に、巻きプロセス｛（Ｈ１５ｍｍ）の場合約２５回、（Ｈ１４ｍｍ）の場合約２３回、（Ｈ１３ｍｍ）の場合約２０回｝を継続する。
【００８６】
受容部領域の外側壁の基部で、先に提示されている最後の線に達すると、３３〜３５個の線により、基部（受容部領域）の巻線が始まり、壁１．３の基部の受容領域内で巻き取られるまで、外側基部１．２上で巻線を継続する。
【００８７】
基部の受容領域での巻線が完了した後、内側壁１．３（舌部）での巻線に切り替わる。それは、内側壁１．３の外部領域上で継続した受容部領域での、｛（（Ｈ１５ｍｍ）の場合約２５個の線、（Ｈ１４ｍｍ）の場合約２３個の線、（Ｈ１３ｍｍ）の場合約２０個の線｝による、内側壁１．３での巻線である。
【００８８】
この工程は、特に、磁場が最小の非均一性（１０％未満）を有しなければならない受容領域内で、可能な限り均一である、全体的なマウスガードＦ（２つの壁および基部）の継続的な巻線に対して、別の層の巻線と共に繰り返されるべきである。
【００８９】
外側壁１．１の頂部の巻線に達すると、そこから巻線が始まり、可能な限り均一に配置された、外側壁１．１｛（（Ｈ１５ｍｍ）の場合約２５個の線、（Ｈ１４ｍｍ）の場合約２３個の線、（Ｈ１３ｍｍ）の場合約２０個の線｝のみからなる第３の層に進む。
【００９０】
小サイズのマウスガードＦ（Ｒが２２ｍｍであり、ＬＴが６５ｍｍであり、Ｈが１３ｍｍ、１４ｍｍ、１５ｍｍである）について、巻線は、自由側の中心から壁の外側で始まり、外側で右に継続し、壁の内側で継続し、それが初期開始場所の直ぐ下に達するまで、前庭壁の外側で継続し、次に、巻きプロセス｛（Ｈ１５ｍｍ）の場合約２５回、（Ｈ１４ｍｍ）の場合約２３回、（Ｈ１３ｍｍ）の場合約２０回｝を継続する。受容部領域の外側壁１．１の基部で、先に提示された最後の線に達すると、３３〜３５個の線により、基部１．２（受容部領域）の巻線が始まり、内側壁の基部の受容領域内で巻き取るまで、外側基部１．１上で巻線を継続する。基部１．２の受容領域での巻線が完了した後、内側壁１．３（舌部）での巻線に切り替わる。｛（Ｈ１５ｍｍ）の場合約２５個の線、（Ｈ１４ｍｍ）の場合約２３個の線、（Ｈ１３ｍｍ）の場合約２０個の線｝により、内側壁１．３で巻き取られる。
【００９１】
この工程は、特に、磁場が最小の非均一性（１０％未満）を有しなければならない受容領域内で、可能な限り均一である、全体的なマウスガードＦ（２つの壁および基部）の継続的な巻線に対して、別の層の巻線と共に繰り返されるべきである。
【００９２】
外側壁１．１の頂部の巻線に達すると、そこから巻線が始まり、可能な限り均一に配置された、外側壁１．１｛（（Ｈ１５ｍｍ）の場合約２５個の線、（Ｈ１４ｍｍ）の場合約２３個の線、（Ｈ１３ｍｍ）の場合約２０個の線｝のみからなる第３の層に進む。
【００９３】
外側壁１．１上で全ての３つの層の線が巻き取られると、巻線が始まった自由縁の近くに最後の線を残し、テスラメータでの電気測定を行った後、必要に応じて線を加える。テスラメータでのサンプル測定が満足できるものであれば、金属有線基部で終了される。
【００９４】
Ｔｅｘｔｏｌｉｔｅプレ−ト（コネクタ）との電気接続は、外側壁の中心で行われ、前庭壁は、アプリケータ基部Ｅの領域に向かって等しく配向され、使用中に患者の唇の機能障害は生じない。
【００９５】
巻線Ｆの端部で、壁上に３層の線、基部上に２層の線、および内側壁上に２層の線を有すると結論付けることができる。
【００９６】
いったんマウスガードが最適な動作パラメータであることが確率（基準）されると、医療用プラグと嵌合された電気コードによりケーブル接続し、歯科技術実験室で基部金属配線が送られ、装置を形成する特殊な真空で阻止され、ＵＶ殺菌される。
【００９７】
マウスガードＦ内に固定されたこのマウスガードＣとは別に、歯医者は、歯医者の処方に従って、患者により装着される、材料１２から個別化マウスガードＣを製造することができる。
【００９８】
個別化マウスガードＣは、口腔の歯の前に配置された、ソケットｌ’’を有する、本体１１から製造され、自由空間を囲む２つのソケットｌ’’間にいずれかの欠損歯がある場合、歯肉に接触するブラントｍ’’が配置されるのが好ましい。
【００９９】
電磁場を適用するための装置Ｄは、非常に低い周波数の電気場を発生させるため、マウスガードＡまたはＢまたはＦの内側に、０．７〜０．９ｍＴの範囲で構成され、５〜１０％の変動を有し、電磁場に供される領域内で、同じ点の周りに１ｃｍの距離で、２００ｍＡの電流により生成された、歯根またはインプラントが位置付けられる領域内でより大きい体積で、７〜８Ｈｚの範囲の、好ましくは、７．６９Ｈｚの、均一磁場の誘導が発生するように構築される。
【０１００】
上のパラメータを得るために、実現化の例によると、装置Ｄは、２Ｈｚ〜２５Ｈｚの範囲の正弦波低周波数電流、２００ｍＡの出力レベル、２４Ｖ  ＲＭＳの最大出力電圧の発生器である。電力は、Ｌｉイオンアキュムレータの電池を通して達成される。
【０１０１】
実現化の例によると、装置Ｄは、低周波数の電流信号を発生させる、マイクロプロセッサＭの周りに構築される。
【０１０２】
装置Ｄにより、磁場周波数ＥＬＦは、１つのみであり、すでに固定されており、領域／標的内でのその均一の誘導は、実質的に０．７５ｍＴ〜０．９ｍＴであり、そのため、マウスガードのレベルにおいていくらかより大きいとき、骨の深度に対して４００ｍＡの電流を使用する場合、潜在的に最大３ｍＴであるだろう。
【０１０３】
通常、正弦波信号を発生させるために、いくつかの可能性があるだろう：
ａ．矩形信号の形態での周波数に対して、高周波数発生器およびプログラム可能な周波数分割器を使用し、次に、フィルタリングして正弦波形状を得る。これにより、フィルタ内の構成要素の公差に依存する振幅および分割器に起因する離散分解能を有する、いくつかの信号が発生する。この異形は、満足できるものではない。
ｂ．作業周波数で直接、正弦波発振器を構築するが、それは、正確性および安定性を有しないだろう。
ｃ．ダイレクトデジタル合成異形を使用するが、かかる異形は、好ましいものであり、下に詳述されるだろう。
【０１０４】
したがって、一定の継続的な信号および極度に低い周波数の正弦波を得るために、装置Ｄの回路の実現化の一例によると、７〜８Ｈｚ、好ましくは、７．６９Ｈｚの周波数で設定される、２〜５０Ｈｚの変動を精密に有する、直接的に正弦波信号を発生させるように適合された定電流ＤＤＳのデジタルシンセサイザを含む。ＤＤＳにより発生した信号は、プロセッサＭにより導かれた高い正確性および安定性を有する。
【０１０５】
実現化の一例によると、Ｄは、処理ブロックＢＰ、ブロック発生器洞ＰＭＷを含むシンセサイザＤＤＳ、電流反応を有するデジタル増幅器ブロックＢＡＤ、音声ブロック増幅器ＢＡ、実時間に対するクロックブロックＲＴＣ、メモリブロックＢＭ、オン／オフスイッチブロックＢＯＰ、および電力ユニットＡＬＩＭを含む。
【０１０６】
処理ブロックＢＰは、マイクロプロセッサＭ、表示装置ＤＡ、およびいくつかの接続ジャックＵＳＢからなる。マイクロプロセッサＭは、下記の信号：
シリアル通信に対するクロック信号ＳＣＫ、
シリアル通信に対するデ−タ信号ＳＤＡＴＡ、
通信中の表示装置ＤＡを選択する、ピンｎｒ３７に対する信号ＣＳＤ、
通信中にメモリを選択する信号ＭＥＭ  ＣＩＰ  ＳＥＬＥＣＴ、
読み取り−書き込みメモリを選択する信号ＳＯ、
書き込み信号ＤＤＳを選択する信号ＤＤＳ＿ＣＳ、
ＲＴＣでの通信ｌ２Ｃに対するデータベース信号ＳＤＡ、
ＲＴＣでのＩ２Ｃ通信に対するクロック信号ＳＣＬ、
自動メンテナンススイッチオン（１でアクティブ）のスイッチ信号ＰＯＷＥＲ、
指令出力電流レベルに対する発生器ＰＷＭのための可変フィルファクタを有する、矩形の信号Ｉ＿ｏｕｔ＿ｓｅｔ、
シンセサイザ（ＤＤＳ）に対するクロック信号ＤＤＳ＿クロック
間欠的なＬＥＤの点灯を通じたフラグ動作からの信号ＬＥＤ、
メモリからの、かつマイクロプロセッサＭのピン３０の中からの発生器ＰＷＭによりフィルタリングされた、読み取り信号ＡＵＤＩＯ、
マイクロプロセッサＭのピン１から生じる、光バックライト表示装置ＤＡへの信号バックライト、
マイクロプロセッサＭ内の入力信号：
交互の形態で生じ、マイクロプロセッサ（Ｍ）内で数値フィルタリングされ、かつ測定された、出力電流の測定信号（Ｉ＿ｍｅａｓ）、
電池監視のために電源電圧から分割された定電圧の信号（Ｂａｔ＿ｍｅａｓ）、
装置をオフにするオン／オフスイッチにより与えられる信号（Ｋｅｙ＿ｅｎｔｅｒ）、
電流測定のための基準電圧の信号（Ｒｅｆ＿２０４８）
を発生させる。
【０１０７】
コンピュータとの通信の要件を考慮して、直接Ｗｉｎｄｏｗｓ下でメモリスティックをロードするように、ＵＳＢを介して行われるロードのためにＢＯＯＴ  ＬＯＡＤＥＲをプログラムする必要のない、例えば、ＡＲＭ  Ｃｏｒｔｅｘ−Ｍ３マイクロプロセッサを使用することができる。このマイクロプロセッサは、Ｉ２ＣおよびＳＰＩ、ならびに小型カプセル（ＬＱＦＰ４８）等の通信システムを有する必要がある。
【０１０８】
ＤＤＳにより発生した正弦波信号は、１〜４００ｍＡで変化し得る調節可能な定電流を有するデジタル増幅器ブロックＢＡＤおよび音声ＢＡに進入するが、出力は、１つのみのプリセット値を有するであろう。周波数および電流の両方が、Ｍにより継続的に制御される。増幅フィルタリングブロックの出力は、その時点で使用されるマウスガードＡ、Ｃ、および／またはＦに基づいて、コイル８、９およびそれぞれ、１９に機能的に接続される、装置Ｄの関連する末端部に適用される。
【０１０９】
図２４に示されているシンセサイザＤＤＳの集積回路は、周波数Ｒｆｒｅｑの２つのレジストリ、および位相Ｒｐｈａｓｅの２つのレジストリを有し、２つの周波数および２つの位相をインターフェースＳＰＩのシステム内に書き込むことができる。本事例において、周波数レジスタＲｆｒｅｑのみを設定する。洞テーブルは、ＳＩＮ  ＲＯＭ内にあり、その走行は、マイクロプロセッサＭにより与えられたクロック発生器ＲＴＣの書き込まれた周波数で行われるだろう。例えば、クロック発生器を使用して、２５ＭＨｚまたはクロック信号の組み込まれたＲＴＣ７Ｗ−２５，０００ＭＢＡＴが、２１０を通じて１２ＭＨｚの水晶振動子を分けることにより、プロセッサＭにより得られ、ＤＤＳシンセサイザの基準クロック信号である１１７１８．７５Ｈｚを得る。
【０１１０】
出力電流の周波数分解能は、クロック周波数と周波数レジスタ２２８との間の比率である。
Ｒｅｚ＝１１７１８．７５／２２８＝０．００００４３６５５Ｈｚ
【０１１１】
洞ブロック発生器ＰＭＷは、電流反応およびＰＷＭ−信号値の限定に関わるいくつかの変調器からなる。それは、三角高周波数信号（１２０ＫＨｚ）をＤＤＳにより発生した正弦波信号と比較するためのシステムを使用し、その結果、入力信号が矩形の対称的な信号に変換される。この対称的な信号は、増幅され、電流反応信号と共に加えられ、ブロックデジタル増幅器ＢＤＡに適用される。したがって、これにより、デジタル増幅器ブロックＢＡＤおよびそれぞれ音声ＢＡ内の、かつ測定時のマイクロプロセッサＭ内の基準正弦波信号の取り付けのための電圧基準が確保される。
【０１１２】
電流反応を有するブロックデジタル増幅器ＢＡＤにおいて、洞ブロック発生器ＰＭＷからの信号は、ピン８（ＩＮ）の基準信号ピン１０（ＢＩＡＳ）に適用される。出力電流は、基準反応を通過して、Ｒ１３１を測定する。ブロックＢＡの生成された電圧は、増幅され、測定のための出力の電流値（Ｉ＿ＭＥＡＳ）を表し、一方で、入力信号を有するＲ１２５を通じて加えられ、電流反応を生成する。電流出力は、フィルタによる伝達およびｌ１０１、ｃ１０２、Ｉ１２１、およびｃ１２７をフィルタリングすることにより、ｏｕｔ１およびｏｕｔ２から得られる。
【０１１３】
ＢＡＤブロックは、線形増幅器を含み得るが、その効率は、最大５６％であり、出力電圧は、電源電圧に等しい偏位を有するが、本事例において、マウスガードの抵抗は、種々の値を有し、それは０％〜５６％であるということになり、これは、動作および退避の自律性を確保することができないため可能とされない。
【０１１４】
そのため、クラスＤ（スイッチ）の線形増幅器、例えば、ＭＡＸ９７６８を使用する。電力要件は、出力における３．６Ｗ  ＲＭＳである。
【０１１５】
音声増幅器ブロックＢＡにおいて、マイクロプロセッサＭから生じた音声信号は、４．７倍に昇圧され、末端部ｗ２０１およびｗ２０２を通してスピーカ内に差し込まれる、入力ブロック増幅器ＢＡで適用される。
【０１１６】
低電源電圧（３．７Ｖ）を有し、ブロックＢＡに対して、トポロジーＢＴＬの低電力での小電圧を選択する。例えば、集積回路ＬＭ４８６４を選択することができる。
【０１１７】
実時間クロックＲＴＣは、通常の集積回路作業、例えば、ＤＳ１３３７により製造され、３ボルトの補助電池により永久的に給電され、少なくとも２年間の自立を確保する。マイクロプロセッサＭ上で、日付および時間を設定し、読み取りを行う。
【０１１８】
メモリブロックＷＢは、集積回路、すなわち、２４  ＬＣ１０２４を構成する際に有し、１０２４キロバイトを節約することができる。音声ファイルは、マイクロプロセッサＭにより保存され、フィルタリングにより、記録された音声信号を表すＰＷＭ信号へと変換される。最小２００キロバイトを有する音声ファイルをその中にロードする必要があり、同時に、治療履歴および任意の情報が記録される必要があるため、１０２４キロビット／秒のメモリを選択されたい。例えば、メモリ２５ＬＣ１０２４を使用することができる。
【０１１９】
オン／オフスイッチブロックＢＯＰは、フロアスイッチＩ１およびフロアローディングＩ２を含む。電子フロアスイッチＩ１は、ＭＯＳＦＥＴ型Ｕ２０５、自動メンテナンスｑ２０２のトランジスタ、および隣接するレジスタにより製造される。圧搾の開始は、Ｄ２０９により停止し、それらの回路グリッドＵ２０５を極化する抵抗Ｒ２２３が開き、電池を装置Ｄに連結する。
【０１２０】
再設定後、第１にマイクロプロセッサが行うことは、トランジスタｑ２０２を開く信号発生ＰＯＷＥＲであり、自動メンテナンスが、回路Ｕ２０５を開く。
【０１２１】
停止のために、スイッチオフを押すことにより、マイクロプロセッサＭのピン３３からの電圧は、ダイオードＤ１０２によりキャンセルされ、これは、パラメータ救命機能を行う、プロセッサＭの信号に対するオフを意味し、次に、信号電力をキャンセルし、装置が停止する。
【０１２２】
フロアローディングＩ２は、クロック発生器ＰＷＭ  Ｕ２０２、ＭＯＳＦＥＴ  Ｕ２０３の半ブリッジ、電圧調整器Ｕ２０７、および電流制限回路Ｕ２０４により達成される。
【０１２３】
充電器の導入により、クロック発生器ＰＷＭ  Ｕ２０２が供給され、信号ローディングを生成する。出口フィルタＬ２０２で、４．２Ｖの電圧が生じ、生成された信号ＰＷＭを変調する発生器ＰＭＷ  Ｕ２０７を介して制御される。この電圧が供給されたマイクロプロセッサＭは、信号ローディングを開始および検出する。
【０１２４】
次に、電子スイッチＣＥを開き、アキュムレータを充電に連結する。
【０１２５】
負荷電流は、レジスタントグループＲ２０５、Ｒ２１１、およびＲ２１４、ならびに発生器ＰＭＷ  Ｕ２０４上で測定され、４．２Ｖの電圧を低減することにより、２Ａ値でのＰＷＭ変調により適合される。
【０１２６】
２Ａの電池の電流下で、電圧は上昇し、４．２ボルトの値を達成する際に、電圧調整器は、信号変調ＰＷＭをとり、４．２Ｖの電圧を維持し、最大０の負荷電流の低下に反映される。
【０１２７】
電源ＡＬＩＭは、昇圧コンバータ型である１４ボルトの源を組み込み、集積回路Ｕ２０１およびトランジスタＱ２０１と共に製造される。出力電力は、Ｒ２０６、Ｒ２０９、およびＲ２１０のセンス抵抗値を選択することにより、５Ｗに限定される。ＡＬＩＭブロックはまた、集積回路、例えば、３．４ボルトの最小入力電圧を有するＭＣＰ１８０４により行われる、３．３ボルトの源を含む。
【０１２８】
基本的に、並列であり、直列でない、いくつかの電池を配置する場合、ローディングシステムを容易にするためにリチウムイオン電池の電源電圧を使用し、それ以降は、バランス回路であるべきである。ＡＬＩＭブロックは、電圧が４．２Ｖに達したときに、定電流の制限の源でなければならない。電池容量は、最大出力電力、効率、および動作の自律性に従って判定される。８０％のグローバル効率および電源３．５Ｖの最小電圧に対して、計算により、５Ｗｈのエネルギーを生じる。
【０１２９】
１．４２Ａｈの流れが確保されなければならない。２時間のより大きい自律性のために、２Ａｈの各容量を有する並列で接続された２つの電池を使用する。
ａ．３．３Ｖの供給に対して、入力電圧が３．５〜４．２Ｖ（源通信を正当化しない）であるため、線形源ＬＤ（飽和で電圧のわずかな低下を有する）を選択する。
ｂ．電力フロアを供給するために、１４Ｖかかり、可変昇圧コンバータ、例えば、ＭＡＸ６６８を選択する。
【０１３０】
患者に対して実施された試験の結果
発明者の個人調査は、２つの区別可能な方向：骨統合インプラントの酸化ジルコニウムのシステムイノベーション−先の先行技術の提示において詳細に提示されたトピック、および骨組織に対する電磁場の影響に焦点を当てており、我々は、本章で詳細に展開するつもりである。調査の目的は、この疾患を有すると診断された患者が、実地時間にできる限り自然な状態保存することができるような、歯周メンテナンスの治療における補助療法を発見することである。
【０１３１】
検討が不十分な領域における比較的多様な文献に基づいて、再生特性を有する周波数電磁気を特定および分離することができた。装置（Ｄ）の動作原則の説明ならびに生体適合性の研究が、先の章に記載されている。
【０１３２】
歯科キットおよびその作用の領域内で、歯周および歯内病変およびインプラント周囲疾患の分野において試験し、それぞれ、骨統合インプラント療法における治癒プロセスを改善する。臨床試験は、国内外の臨床医と協力して民間の診療所で行われた。
【０１３３】
歯周病理学の分野において、臨床研究は、２４か月の期間延長され、急性／慢性歯周炎を罹患していると診断され、一般化または局所化された住所で、２９歳から６０歳の年齢で、臨床的に健康な代謝性疾患または全身性疾患と診断されていない２０人の患者、ならびに口腔領域内の点検を受け、治療的処置に従っていない患者群を含んだ。歯石除去およびブラッシングを含む、散在的な塗装の専門家のみの、特定の治療を含まない、歯周の病歴を有する患者を選択されたい。
【０１３４】
放射線検査および実験室での試験に付随する一般的な歯の状態後、最初に、歯垢指数および歯周病変を設定する歯周の状態を有する患者が実施された。
【０１３５】
歯周病の複雑な性質を考慮して、治療についての主要な方向性を決定し、治療についての３つの主要な段階を記述した。
【０１３６】
患者の治療は、下記の指示、すなわち、
１．抗菌治療、
２．外科手術治療、
３．咬合調整の治療、
４．周縁の歯周炎の生体再活性化による構造的かつ機能的回復の治療
に従うことにより、歯周病の局地性に限定された。
【０１３７】
いったん治療についてのこれらの一般的な指示が構築されると、それらは、疾患のさらなる進行状態ならびに患者の時間および材料可能性に応じて、小さい変更を受けた。
【０１３８】
初期治療は、２０Ｈｚの波長を有するＮｄ：ＹＡＧ  ＬＡＳＥＲダイオードを使用した、歯肉の歯石除去および創面切除、歯石除去、超音波手動の上および下歯肉の完全な殺菌による周縁の慢性歯周症の急性合併症への介入、ならびに絡まった歯根の残りにより維持された感染および炎症プロセスの抑制に焦点が置かれた。我々の非常に重要な役割は、疾患の段階についての患者の認識、ならびにブラッシングおよび実用品により家庭で実施されるクリーニング工程についての指示に起因する。
【０１３９】
口腔衛生のレベルを評価するために、軟質堆積物の歯石−指数−指数ＤＩおよび有機堆積物の歯石指数−ＣＩ−から構成される、口腔清掃指数−口腔清掃指数−ＯＨＩ−組み合わせ指数が使用される。これらの２つの指標の各々は、弓の各々が３つのセグメントに分割される、歯の前庭部および口腔表面上で明らかな軟質堆積物、すなわち、歯石の量に基づいて数値的に判定される。６つのセグメントの各々に対して、問題のセグメントに対する最大値を有する歯が考慮される。
【０１４０】
軟質堆積物−ＤＩ−の評価基準：
スコア０−硬質または軟質堆積物の着色がない、
スコア１−軟質堆積物（しかし、多くはない）が歯肉の３分の１に存在するか、または軟質堆積物を有しない外因性の着色、
スコア２−軟質堆積物が歯の表面の３分の１〜３分の２に存在する、
スコア３−軟質堆積物が歯の表面の３分の２超に延びて存在する。
歯石（ＣＩ）の堆積物のクラス分けに対する評価基準：
スコア０−歯石堆積物が存在しない、
スコア１−上歯肉の歯石の堆積物が歯肉の３分の１に存在するが、それ以上は存在しない、
スコア２−上歯肉の歯石の堆積物が下歯肉の歯表面の３分の１〜３分の２に存在するか、または歯頸領域に沿った島の形態もしくは両方の形態で付いている、
スコア３−上歯肉の歯石の堆積物が歯頸に沿った継続的なテープの形態または両方の形態で歯表面の下歯肉の歯石の３分の２に存在する。
【０１４１】
軟質および歯石堆積物に対する評価スコア後、ＯＨＩの値を計算した。
ＤＩ＝分析されたセグメントの個別の値／数の合計
ＣＩ＝分析されたセグメントの個別の値／数の合計
計算式：ＯＨＩ＝ＤＩ＋ＣＩ。
【０１４２】
患者は、１か月目は毎週、次に、１か月に２回、周波数による定期検査に呼び戻され、クリーニング技術について支援／再指示を行い、殺菌が大いに必要な領域を明らかにすることで、各々が、１〜２の指数ＯＨＩを得ることができた。この瞬間からのみ、治療の二次的段階に向かって前進することができた。
【０１４３】
矯正治療は、必要な場所での、再構築工程、閉塞検出を通じた歯の閉塞の再平衡化、および歯冠の輪郭から適合されない歯の閉塞等の医原性因子の除去、歯肉の輪郭に対する合理的な適合、虫歯で罹患した歯の形態の修復、繊維ガラス片による歯周歯の固定の補綴回復にある。
【０１４４】
この段階において、アプリケータＥ内に配置されたコイル９または１５を通して装置Ｄにより放出された、非常に低い周波数の電磁場による、生体再活性化の治療が適用された。
【０１４５】
アプリケータＥの電磁場ＣＥＭは、２つの極間に、再生を必要とする領域を含むＵ字形状を有する。極間の距離は、１５〜２１ｍｍの範囲の適用領域内の弓の厚さに応じて変化し得る。ＣＥＭが作用する距離は、アプリケータの最大長さである。次に、アプリケータＥは、内側マウスガードＡまたはＢ上に配置および拘束され、各患者に対して、治療を必要とする領域上で直接使用される。このように、アプリケータＥが、患者が動かすことができない状態で、所望の領域にわたって作用することを確保する。
【０１４６】
アプリケータＥを支持するマウスガードＡまたはＢまたはＦを達成するために、指紋法、弓顎部モデルの鋳造石こう作業を行い、マウスガードＡまたはＢまたはＦを約２ｍｍの熱可塑性箔から製造する。アプリケータＥは、治療を必要とする領域上で接合および固定され、ＣＥＭの装置Ｄの送信器に接続される。弓道上に、同時にそれらの極間に最大３つの歯のセグメントを含む、口腔のマウスガードの非常に限定された空間に起因して、２つ（マウスガードＢ）または３つ（マウスガードＡ）のみのアプリケータＥを据え付けることができる。患者は、マウスガードＡまたはＢまたはＦを歯科領域上に適用する方法、衛生的にキットを接続する方法、ＣＥＭの曝露の数について具体的に指示を受ける。
【０１４７】
ＣＥＭの曝露は、初期数の最小３０セッションにおいて各々、１〜２時間のセッションで行われ、その間、患者は、会話、飲食ができないが、自宅で快適に単純な活動を行うことができる。セッションは、治療の最大効率のために毎日行うか、またはそれらの間に７日を超えない間隔で行うことが推奨される。
【０１４８】
先の２つの治療段階の適用後、治療に従い、再感染、新たな形態学的障害および機能不全の引き延ばし、その結果としての再発を予防することを企図した個別化された固定を通して得られた結果を維持する。ＥＭＦへの曝露は、組織レベルでの成長因子の刺激の機構を通じて機能するため、治療の最終段階において、さらに予防的範囲においても、年に一度、本発明による歯科用キットによる治療が推奨される。
【０１４９】
歯周炎上で実施される治療は、どんなに困難で、費用を要し、正しく行われようとも、綿密な検査プログラムを構築しなければ、経時的に持続的な効果が続かない。それは、口腔衛生状態：治療結果を維持する最も重要な要素、歯肉の歯石除去および創面切除による再発の予防、後に生じる虫歯の治療に従う。患者のスクリーニングおよび定期検査は、規定である：治療後１年目は３か月毎に、２年目は６か月毎に、かつ疾患の再発を引き延ばすために毎年または必要なときはいつでも行う。
【０１５０】
治療の別の実施形態は、下記の通りである：
セッションの数は、患者の放射線分および歯の動揺度を判定する臨床検査に続いて、歯医者により判定され、各歯列弓構造物に対する６０時間〜最大２００時間の治療まで変化し得る。
【０１５１】
医療装置ソフトウエアは、患者に、ロジスティクス管理責任者のコンピュータにインストールされたソフトウエアを通した歯医者の推奨が、初期時間の電磁気療法の医療付与数で実施されるまで、ロック状態である発生器を歯医者により作動させることを可能にする。歯医者は、各個別の患者に対して、訪問時間を決定し、その時点で、歯医者は、必要に応じて、患者の検査に基づいて、時間外の電磁気療法を決定するか、または患者は、発生器を返さなければならない。セッションの時間は、２時間であり、再生に供された歯列弓の各々に対して、その間に１週間〜２日に３回のセッションが推奨される。
下記に、発明者の研究からの、かついくつかの臨床研究者にお願いしたルーマニアおよび国外からのいくつかの臨床事例を示そう。
【０１５２】
歯周病学における本発明によるキットにより放出されたＥＭＦの作用
１．患者Ｓ．Ｂ．は、診療所で、３．５の歯で急性疼痛および動揺度を示した。歯周の厳密な調査により、近心面上に７ｍｍおよび前歯に５ｍｍの歯周ポケットの存在を示した。患者は、先に説明された手順で適用され、第１の段階における上顎部の修復のために、４分円２および３において合計６０回のセッション−４分円３に対して３０回のセッション、および４分円２に対して３０回のセッションの適用（ＣＥＭ）が推奨される。
【０１５３】
初期放射線画像が図２９に示されている。
患者は、最初に３に対する四角において、次に、推奨した残りの歯に対して、金属−セラミック修復、およびＣＥＭ段階への曝露を選択した。提案された治療計画を適用した際の初期および中間の状況は、各事例の進行の記述および記録について特別に生成された、コンピュータプログラムに登録された。
【０１５４】
グラフは、軸上に、治療される歯の前庭部および口腔面で測定された、歯肉退縮の程度、動揺度の程度、および歯周の腫れの深度を記録する。
【０１５５】
患者は、未だ、治療プロセスにいる。３０回のセッションがレベル３．５に適用された後、歯周病変は、前近心および遠因の両方で、２ｍｍの歯周の腫れの減少を示し、放射線画像は、新たな骨梁の出現を通じた骨の子密度化および３．５に対する歯周の歯の空間の減少を示した。
【０１５６】
図３０は、提案された部分的な治療計画、すなわち、４分円２および３における補綴修復の適用および示されている歯の３．５に対する３０回のセッションの適用（ＥＭＦ）後の放射線画像である。
【０１５７】
ここでは３．５のＶおよびＬ面の測定を強調した、治療の進行のグラフの画像は、図３０に示される。
【０１５８】
２．５５歳の患者Ｍ．Ｌ．は、診療所で、４．７の歯で急性疼痛および高動揺度を示した。臨床検査により、前近心に７ｍｍの歯周ポケットの存在および等級１の動揺度が示された。放射線検査により、この歯周ポケットの存在が確認された。患者は、３０回のセッションで離間領域におけるＣＥＭへの曝露のための治療を推奨された。
【０１５９】
初期放射線画像は、図３１に図示されている。
図３２に図示されている、治療後の驚くべき放射線画像は、骨の高密度化を識別する。臨床歯周組織滴定は、３．５ｍｍの歯周ポケットの減少を示し、動揺度の程度は、０に向かって有意に減少した。
【０１６０】
３．４５歳の患者は、インプラントの定型制御のために診療所に来院した。臨床検査により、２．６に対する触診で歯肉粘膜の出血が示された。放射線検査では、目盛り領域２から骨インプラントの無線透明度が改善したことに注目した。治療計画として、厳密なクリーニングおよびＣＥＭへの曝露が推奨される。
【０１６１】
初期放射線画像は、図３３に図示されている。
３０回のセッション後の放射線画像は、図３４に提示されている。垂直方向に小さい骨を有するインプラント周囲の空間の低下が観察される。特定の粘膜塩の臨床兆候は、微細であった。患者は、予防特性を有する６か月後のＣＥＭ曝露のミーティングを再開することを推奨された。
【０１６２】
歯内療法における本発明によるキットにより放出されたＣＥＭの作用
本発明によるＣＥＭにより送達された歯科用キットのより巧みな作用を図示するために、２０１４年にブカレストのＴｉｔｕ  Ｍａｉｏｒｅｓｃｕ大学の歯学部で行われた臨床試験を下記の断片に提示する。
【０１６３】
医学的見地から、慢性根尖膿瘍の存在は、体全体に対する危険を表し、疾患の発生を引き起こす。大部分の事例において、慢性歯根尖を示す患者は、損傷による天然肉芽腫を罹患しただけでは、歯医者に来ない。
【０１６４】
慢性根尖膿瘍は、防腐剤および水酸化カルシウムの連続適用により保存治療または外科手術治療のいずれかを必要とする。水酸化カルシウムおよび防腐剤による保存治療を適用することによっては、長期の治療の成功率または失敗率を予測することができない。
【０１６５】
歯科用キットは、歯根尖周囲病変の治療において使用される医療装置であり、最小１５回のセッションに対する、マウスガードＡまたはＢまたは全アプリケータＦに配置されたアプリケータＥから放出される低周波数電磁場の適用で構成される。それは、無痛治療であり、予防的な骨の再生および歯肉のために使用される、骨および象牙質の深度、歯髄の幹細胞刺激である。この工程は、骨の治療および心尖部の病変の再吸収に適応される。
【０１６６】
材料および方法
歯は、２．１であり、これは、定型チェック中に診断された、直径１．５ｍｍの心尖部の肉芽腫を示している。歯は、機械的および化学的特性によりチャネル内で治療され、その後、本発明による歯科用キットによる治療が適用された。本発明による歯科用キットを使用する前に、任意の微生物活動を最小化することは非常に重要である。ＣＥＭ曝露は、セッション当たり１２０分の１５回の連続セッションで行われ、その後、歯内の閉塞を行った。治療の進行は、放射線検査へと進んだ。
【０１６７】
結果
アプリケータＥにより発生した低周波数のパルス電磁場は、骨芽細胞を刺激し、破骨細胞を抑制し、結果として、根尖周囲の完全な治癒を生じた。新たな骨組織は、同じ態様および感触、ならびに近傍からの放射性物質の健康な骨組織を有する。
【０１６８】
歯科用キットによる治療は、針による痛みがなく、根尖周囲の治癒がより迅速に生じる。治療中に、患者は、顎関節ＴＭＪの病変の嚥下において、不快感または疼痛の兆候を示さなかった。歯科用キットは、使用が容易で安全であり、適切に使用すれば危険ではない。
【０１６９】
研究でその事例が提示された患者は、最近、我々に、一年前に実施された治療の進行を追跡するためのプログラム内で行われた新たな放射線を提供した。根尖周囲領域は、完全に治癒しており、いかなる再発もなかった。
【０１７０】
２．３８歳の患者Ｉ．Ｄ．は、目盛り１からの補綴機能回復のために、診療所に来院した。初期放射線検査により、１．３〜１．４の歯に対する根尖周囲の損傷の存在が明らかになった。補綴機能回復のために、迅速および完全な治癒のために、将来の支持ブリッジの要素から構成される全ての歯を完全かつ正しくＣＥＭに曝露することにより補完するために、歯内の再治療が推奨された。
【０１７１】
患者は、提案された治療に同意し、我々は、歯内治療を再度行った。既存の心尖部の病変の治癒の良好な進行に基づく歯科用キットおよびセッションと共に、金属−セラミックブリッジを通じた形態機能的回復が行われた。
【０１７２】
３）歯肉および骨移植片を有する患者に対する、本発明による歯科用キットによる作用ＣＥＭ：
初期放射線画像は、図３８に図示されている。
ＣＥＭ曝露は、３０回未満でないミーティングの初期数において、各々、２時間のミーティングで実施され、その間、患者は、会話、飲食ができないが、自宅で快適に単純な活動を行うことができる。ミーティングは、治療の最大効率のために毎日実施されるか、またはそれらの間に７日を超えない間隔で行うことが推奨される。
【０１７３】
臨床事例  患者は、外科手術で除去され、正常な状態下では再生されない、非常に大きい骨欠損を生成する、下顎の嚢胞を示している。
【０１７４】
２か月間毎日の電磁場の曝露による患者の治療が推奨される。
【０１７５】
治療後の放射線画像は、図３９に見られ、外科手術後の欠損の領域内の骨量の全再建を通じて治癒している。臨床統合が注目され、術後期間中に欠損を閉塞するために、移植片のない歯肉が適用されている。
【手続補正２】
【補正対象書類名】特許請求の範囲
【補正対象項目名】全文
【補正方法】変更
【補正の内容】
【特許請求の範囲】
【請求項１】
歯科用キットであって、複数の作業点を有するマウスガード（Ｆ）と、ポリマーからなる材料（１２）と、電磁場を発生させる装置（Ｄ）であって、前記装置（Ｄ）が、前記マウスガード（Ｆ）の内側で、０．７〜０．９ｍＴの範囲の誘導磁場を有し、５〜１０％の範囲の変動を有し、前記電磁場に供される領域内で、同じ点の周りに１ｃｍの距離で、かつ２００ｍＡの電流により生成された、歯根またはインプラントが位置付けられる領域内で可能な限り高い体積で、７〜８Ｈｚの範囲、好ましくは、７．６９Ｈｚの周波数を有する均一磁場を発生させる、装置（Ｄ）と、を備え、前記磁場線が、箱内に配置された標的組織上で直角に交わり、
全弓構造物上で機能する前記マウスガード（Ｆ）が、金属湾曲本体（１４）からなり、前記金属湾曲本体（１４）が、顎部の解剖学的形状に従い、湾曲外側、およびそれぞれ内側の、互いに平行な２つの壁（ｉ’’およびｊ’’）を備え、それらの間で、上壁（ｋ’’）の上顎部または下顎部上の、使用に応じて上部または下部に接合され、前記本体（１４）が、前面の、銅線から製造されたコイル（１５）の金属コアを形成し、前記コイル（１５）が、前面の２つの導電体（１６および１７）を有し、それらを通じて、外側で、前記装置（Ｄ）との電気接続が行われ、前記コイル（１５）が、ポリエチレンまたは前記材料（１２）から製造された層（１８）により被覆されており、
前記材料（１２）が、その後に顎部の解剖学的形状に従う個別化内側マウスガード（Ｃ）の本体（１１）がある、サンドイッチの形態であり、
前記装置（Ｄ）が、２００ｍＡの出力電流、２４Ｖの最大出力電圧のレベルを有する、２Ｈｚ〜２５Ｈｚの範囲の正弦波低周波数電流の発生器であり、かつマイクロプロセッサ（Ｍ）であって、同じ点の周りに１ｃｍの距離で、歯根インプラントが位置付けられるであろう領域内のより大きい体積で、０．７５ｍＴ〜０．９ｍＴの、均一の誘導強度の電磁場を発生させる低周波数電流の信号を発生させる、マイクロプロセッサ（Ｍ）と、ダイレクトデジタルシンセサイザ（ＤＤＳ）であって、前記プロセッサ（Ｍ）により導かれた高精度および安定性の２〜５０Ｈｚの変動を精密に有する、正弦波信号を直接発生させるように適合される、ダイレクトデジタルシンセサイザ（ＤＤＳ）と、の周りに構築され、前記装置（Ｄ）が、処理ブロック（ＢＰ）、前記シンセサイザ（ＤＤＳ）、電流反応を有するデジタル増幅器ブロック（ＢＡＤ）、音声増幅器ブロック（ＢＡ）、実時間に対するクロックブロック（ＲＴＣ）、メモリブロック（ＢＭ）、オン／オフスイッチブロック（ＢＯＰ）、および電源（電力）を含む、歯科用キット。
【請求項２】
前記個別化マウスガード（Ｃ）の本体（１１）が、前記口腔の前記歯の前に配置されたいくつかのソケット（ｌ’’）を有し、それら自体の前に任意の欠損歯がある場合、自由空間を囲む２つのソケット（ｌ’’）間に、前記歯肉に接触するブラント（ｍ’’）が配置される、請求項１に記載の歯科用キット。
【請求項３】
前記個別化マウス（Ｃ）が、複数の作業点を有する前記マウスガード（Ｆ）の前記壁（ｋ’’）への接着により製造および固定される、請求項１に記載の歯科用キット。
【請求項４】
サンドイッチの形態での前記材料（１２）が、ポリマーからなり、それに、無機物粒体が、単独または混合物で、トパーズ、ヒスイ、炭酸カルシウム、オクタカルシウムホスフェート、ケイ酸、水晶振動子、塩もしくは地山、火山岩、動物の角の粉塵、または酸化ジルコニウムの粒体からなる、好ましくは天然の結晶構造もしくは物質と共に埋め込まれ、前記粒子のサイズが、２０〜１５０ｎｍである、請求項１に記載の歯科用キット。
【請求項５】
前記コイル（１５）が、翼部の継続において、前記磁場が前記骨の深度において均一である体積を判定するために、互いに平行な前記翼部の外縁において、かつ前記電流が４００ｍＡまで引き上げられたときに、均一の誘導電磁場であるように、隣接する線において均一の有線である、請求項１に記載の歯科用キット。
【請求項６】
前記マウスガード（Ｆ）が、共に前記全体的な顎部を被覆する、２つの分離した半マウスガード（Ｆ１およびＦ２）から製造され、各々が、半弓状であり得、各半マウスガード（Ｆ１およびＦ２）が、それぞれ、前面のコイル（１５’）、（１５’’）、それぞれ、２つの前面導電体（１６’および１７’）および（１６’’および１７’’）を有し、それらを通じて、前記装置（Ｄ）との電気接続により実施され、よって、各半マウスガード（Ｆ１またはＦ２）または両方の半マウスガード（Ｆ１およびＦ２）により発生した前記電磁場が、治療される全体的な領域上で、８％未満の差異を有する、高い均一性を有する、請求項１に記載の歯科用キット。
【請求項７】
前記マイクロプロセッサ（Ｍ）、表示装置（ＤＡ）、およびいくつかの接続ジャック（ＵＳＢ）からなる前記処理ブロック（ＢＰ）が、マイクロプロセッサ（Ｍ）を通して、下記の信号、すなわち、
シリアル通信のためのクロック信号（ＳＣＫ）、
シリアル通信のためのデ−タ信号（ＳＤＡＴＡ）、
通信中に前記表示装置（ＤＡ）を選択する、ピンｎｒ３７に対する信号（ＣＳＤ）、
通信中にメモリを選択する信号（ＭＥＭ  ＣＩＰ  ＳＥＬＥＣＴ）、
読み取り−書き込みメモリを選択する信号（ＳＯ）、
書き込み信号ＤＤＳを選択する信号（ＤＤＳ＿ＣＳ）、
通信ｌ２Ｃ（ＲＴＣで）のためのデータベース信号（ＳＤＡ）、
Ｉ２Ｃ通信（ＲＴＣで）のためのクロック信号（ＳＣＬ）、
自動メンテナンスのオンスイッチ（１でアクティブ）のスイッチ信号（電力）、
指令出力電流レベルのための発生器（ＰＷＭ）に対する可変フィルファクタによる矩形の信号（Ｉ＿ｏｕｔ＿ｓｅｔ）、
シンセサイザ（ＤＤＳ）のためのクロック信号（ＤＤＳ＿ＣＬＯＣＫ）、
間欠的なＬＥＤの点灯を通したフラグ動作による信号（ＬＥＤ）、
メモリからの、前記マイクロプロセッサ（Ｍ）のピン３０から出た前記発生器（ＰＷＭ）によりフィルタリングされた、読み取り信号（Ａｕｄｉｏ）、
前記マイクロプロセッサ（Ｍ）の前記ピン１から生じる光バックライト表示装置（ＤＡ）へのバックライト信号、
マイクロプロセッサ（Ｍ）内の入力信号、
代替の形態で生じる、マイクロプロセッサ（Ｍ）内で数値フィルタリングされ、かつ測定された、出力電流の測定信号（Ｉ＿ｍｅａｓ）、
電池監視のために電源電圧から分割された定電圧の信号（Ｂａｔ＿ｍｅａｓ）、
前記装置をオフにするオン／オフスイッチにより与えられる信号（Ｋｅｙ＿ｅｎｔｅｒ）、
電流測定のための基準電圧の信号（Ｒｅｆ＿２０４８）
を発生させる、請求項１に記載の歯科用キット。
【請求項８】
前記シンセサイザ（ＤＤＳ）が、電流反応を組み込む変調器と共に製造され、前記信号（ＰＭＷ）を制限する、正弦波信号発生器（ＰＭＷ）を含む、請求項１に記載の歯科用キット。
【請求項９】
電流反応を有する前記デジタル増幅器ブロック（ＢＡＤ）が、スイッチクラスＤの線形増幅器を含む、請求項１に記載の歯科用キット。
【請求項１０】
前記音声増幅器ブロック（ＢＡ）が、低電圧の電力トポロジーＢＴＬ内の低電圧の増幅器である、請求項１に記載の歯科用キット。
【請求項１１】
前記メモリブロック（ＢＭ）が、治療の音声ファイルおよびメモリ履歴ならびに任意の情報をアップロードするための１０２４キロバイトのメモリを有する集積回路を有する、請求項１に記載の歯科用キット。
【国際調査報告】
2018533449.tif 000047
2018533449.tif 000048
2018533449.tif 000049
2018533449.tif 000050
2018533449.tif 000051